(57)【要約】      （修正有）【課題】携帯電話の機能および／又は動作特性に影響を与えるカバー等の、モバイル電話筐体部を提供する。【解決手段】ポータブル通信装置、家電あるいはパーソナルケア器具等の電気装置は、本体を有しており、かかる本体は、それ自体または筐体部に取り付け可能な工具の形態により構成可能なアクセサリーに結合するよう設けられたものである。前記アクセサリーは、前記装置の動作を制御する、あるいは、機能に影響を与える、ための制御データを記憶するメモリを有する受動的データ記憶装置を備えている。かかる受動的データ記憶装置は、本体に設けられた第一カプラーが、アクセサリー３に設けられた第二カプラーの近傍に位置すると、本体から電力を取り出すよう構成されている。電気装置がポータブル通信装置の場合、アクセサリーは、例えば、カバー(fascia)であってもよい。第一および第二カプラー間の結合は、誘導的でも容量的でもよい。【選択図】図１
2008199603.tif 000002
【特許請求の範囲】
【請求項１】
取り外し可能な筐体部を有する本体を備えたポータブル通信装置であって、
前記本体は、モバイル電話通信ネットワークを介し、通信の送受信を可能にする送受信器を有し、
前記装置の動作を制御する制御手段、および
キャリア信号を供給する信号供給手段、を備えており、
前記本体および前記筐体部は、第一結合手段から第二結合手段への前記キャリア信号の結合が可能となるよう互いに近接するよう設けられた第一ならびに第二結合手段をそれぞれ有し、
前記筐体部は、データを記憶するメモリを有するデータ記憶装置を含んでおり、
前記第二結合手段と結合するキャリア信号から電源を取り出す電源取出手段、
前記電源取出手段による電源の取り出しに応じ、前記メモリからデータを読み出す制御手段、および
前記メモリから読み出したデータに基づき、前記キャリア信号を変調する変調手段、を備え、
前記本体は、変調されたキャリア信号からデータを抽出するデータ抽出手段、ならびに、前記ポータブル通信装置の動作に影響を与えるため、前記本体の前記制御手段に前記データを供給するデータ供給手段、を有すること、
を特徴とするもの。
【請求項２】
請求項１にかかる装置において、前記第一及び第二結合手段は、誘導的に結合するよう設けられること、
を特徴とするもの。
【請求項３】
請求項１にかかる装置において、前記第一及び第二結合手段は、容量的に結合するよう設けられること、
を特徴とするもの。
【請求項４】
取り外し可能な筐体部を有する本体を備えたポータブル通信装置であって、
前記本体は、モバイル電話通信ネットワークを介し、通信の送受信を可能にする送受信器を有し、
前記装置の動作を制御する制御手段、および
無線周波数キャリア信号を提供する無線信号供給手段、を備えており、
前記筐体部は、無線周波数受信手段およびデータ記憶装置であって、
データを記憶するメモリ、
前記無線周波数受信手段により受信した無線周波数キャリア信号から電源を取り出す電源取り出し手段、
前記電源取り出し手段による電源の取り出しに応じ、前記メモリからのデータを読み出す制御手段、を備え、
前記本体ならびに前記筐体部は、前記ポータブル通信装置の動作に影響を与えるため、前記メモリからのデータを前記本体の前記制御手段に通信する、第一および第二通信手段、をそれぞれ有すること、
を特徴とするもの。
【請求項５】
請求項４にかかる装置において、前記第二通信手段は、前記メモリから読み出されたデータに基づき、前記無線周波数信号を変調する変調手段を備え、前記第一通信手段は、前記変調済み無線周波数信号を受信する無線周波数受信手段を備えており、前記本体は、前記変調された無線周波数キャリア信号からデータを抽出するデータ抽出手段、ならびに、前記ポータブル通信装置の動作に影響を与えるため、前記本体の前記制御手段に前記データを供給するデータ供給手段、を備えたこと、
を特徴とするもの。
【請求項６】
請求項４にかかる装置において、前記第一および第二通信手段は、第一および第二結合手段を備え、前記無線周波数キャリア信号供給手段は、前記無線周波数キャリア信号を前記第一結合手段に供給するよう構成されること、
を特徴とするもの。
【請求項７】
請求項６にかかる装置において、前記第一および第二結合手段は、誘導的に結合するよう構成されたこと、
を特徴とするもの。
【請求項８】
請求項６にかかる装置において、前記第一および第二結合手段は、容量的に結合するよう構成されたこと、
を特徴とするもの。
【請求項９】
請求項５、請求項６、請求項７又は請求項８にかかる装置において、前記無線周波数キャリア信号供給手段は、前記送受信器のキャリア信号生成器を備えたこと、
を特徴とするもの。
【請求項１０】
請求項９にかかる装置において、前記第二通信手段は、前記送受信器のアンテナから前記第一通信手段を陰にし(shadows)、あるいは、隠すようにすること、
を特徴とするもの。
【請求項１１】
請求項４にかかる装置において、前記第一および第二通信手段は、直接の電気経路、光学的、音響的、機械的又は電気機械振動による、あるいは、電磁信号による、の少なくとも一つによって通信するよう構成されること、
を特徴とするもの。
【請求項１２】
前記いずれかの請求項にかかる装置において、前記信号供給手段は、前記信号を周期的に変更する信号中断手段を含み、前記データ記憶装置は、前記の周期的な変更に基づき、前記データ記憶装置のためクロック信号を取り出すクロック信号取り出し手段、を有すること、
を特徴とするもの。
【請求項１３】
請求項１２にかかる装置において、前記クロック信号取り出し手段は、欠落パルス検出器(missing pulse detector)、を備えたこと、
を特徴とするもの。
【請求項１４】
請求項１から請求項１２のいずれかにかかる装置において、前記データ記憶装置は、前記電源取出手段による電源の取り出しに応じ、前記データ記憶装置用にクロック信号を生成するクロック信号生成手段、を有すること、
を特徴とするもの。
【請求項１５】
前記いずれかの請求項にかかる装置において、前記メモリは、書込可能なメモリであり、前記信号供給手段は、前記メモリに書き込まれるデータに基づいて前記キャリア信号を変調するデータ供給手段を含み、前記データ記憶装置は、前記変調済みキャリア信号から前記データを取り込むとともに、取り込んだデータを前記メモリ内に書き込む書込手段を有すること、
を特徴とするもの。
【請求項１６】
請求項１５にかかる装置において、前記制御手段は、前記ポータブル通信装置の使用に関する情報を得る使用情報取り込み手段を有するとともに、前記書込手段が前記メモリに前記使用データを書込可能にするよう、前記使用データに基づき、前記キャリア信号を変調するよう動作可能であること、
を特徴とするもの。
【請求項１７】
前記いずれかの請求項にかかる装置において、前記制御手段は、前記筐体部が最初に前記本体に結合された場合、あるいは、所定間隔で、前記装置の起動時のような所定時に、前記信号供給手段が、前記キャリア信号を供給するよう動作可能であること、
を特徴とするもの。
【請求項１８】
請求項１から請求項１７のいずれかにかかる装置において、前記メモリに記憶された前記データは、ソフトウエアおよび情報データの少なくとも一つ、を備えたこと、
を特徴とするもの。
【請求項１９】
請求項１から請求項１７のいずれかにかかる装置において、前記メモリに記憶された前記データは、ポータブル通信装置用の動作ソフトウエアデータ、ゲームソフトウエアデータ、識別データ、前記制御手段が動作ソフトウエアデータ又はゲームソフトウエアデータにアクセスすることを可能にするアクセスデータ、の少なくとも一つ、グラフィックデータ、音声データ、イメージデータ、ビデオデータ、ならびにテキストデータ、の少なくとも一つ、を備えたこと、
を特徴とするもの。
【請求項２０】
請求項１から請求項１９のいずれかにかかる装置において、ユーザー操作手段は、前記筐体部と一体化(assocaite with)されていること、
を特徴とするもの。
【請求項２１】
請求項２０にかかるポータブル通信装置おいて、前記ユーザー操作手段は、キーボード、キーパッド、タッチクスクリーン、ジョイステイック、デジタル化テーブル(digitizing table)あるいは他の入力装置、の少なくとも一つを備えたこと、
を特徴とするもの。
【請求項２２】
請求項１から請求項１９のいずれかにかかる装置において、ユーザー操作手段は、前記筐体部に設けられており、前記データ記憶装置は、前記ユーザー操作手段のユーザー操作に関するデータを前記本体に供給するユーザー操作制御手段、を備えたこと、
を特徴とするもの。
【請求項２３】
請求項２２にかかる装置において、前記ユーザー操作手段は、キーボード、キーパッド、タッチクスクリーン、ジョイステイック、デジタル化テーブルあるいは他の入力装置、の少なくとも一つを備えたこと、
を特徴とするもの。
【請求項２４】
請求項２２又は請求項２３にかかる装置において、前記ユーザー操作制御手段は、多数の異なる方向のいずれかで用いられる前記ポータブル通信装置のデイスプレイを構成するため、前記制御手段に対し、命令を供給するよう動作可能であること、
を特徴とするもの。
【請求項２５】
請求項２２から請求項２４のいずれかにかかる装置において、さらに、ユーザー操作手段の構成が異なる形式を有する追加ユーザーインターフェース装置を備え、当該ユーザーインターフェース装置は、受動的制御装置、前記ユーザーインターフェース装置の結合手段が、前記ポータブル通信装置の結合手段と結合すると、電源を取り出す電源取出手段、ならびに、ユーザーによる前記ユーザー入力装置の操作に応じ、前記ユーザーインターフェース装置が、前記ポータブル通信装置と結合した場合、前記制御手段にユーザー入力データを供給するデータ供給手段、を備えたこと、
を特徴とするもの。
【請求項２６】
請求項１から請求項２５のいずれかにかかる装置において、前記制御手段が、識別データを受信しない場合、あるいは、正しい識別データを受信しない場合、前記メモリに記憶された前記データは、前記制御データが前記筐体部を識別するとともに、前記制御手段が前記ポータブル通信装置の少なくとも一の機能あるいは動作特性を抑制するよう動作可能とするデータ、を備えたこと、
を特徴とするもの。
【請求項２７】
請求項１から請求項１９のいずれかにかかる装置において、前記筐体部は、そこから前記本体に設けられたキーパッドが突出するキーパッド開口、を含むこと、
を特徴とするもの。
【請求項２８】
請求項１から請求項１９のいずれかにかかる装置において、前記筐体部は、ユーザー入力手段を有し、前記データ記憶手段は、入力動作を識別するとともに、前記ユーザー入力動作を表すコードデータを前記制御手段とやりとりするよう、前記ユーザー入力動作に基づき前記キャリア信号を変調する、データ記憶装置制御手段、を含むこと、
を特徴とするもの。
【請求項２９】
請求項２８にかかる装置において、前記データ記憶装置制御手段は、前記ユーザー入力動作を表すＡＳＣIIコードを、前記制御手段とやりとりするよう動作可能であること、
を特徴とするもの。
【請求項３０】
請求項２８又は請求項２９にかかる装置において、前記データ記憶装置は、特定のユーザー入力動作と語句又はコマンドを関連づけた制御データを記憶し、かかる動作が検出された場合、前記データ記憶装置制御手段は、特定のユーザー入力動作に対応する前記制御データをやりとりするよう動作可能であること、
を特徴とするもの。
【請求項３１】
請求項２８から請求項３０のいずれかにかかる装置において、多数の異なる取り外し可能な筐体部であって、各々が異なる形式あるいは配列のユーザー入力手段が設けられること、
を特徴とするもの。
【請求項３２】
請求項２８から請求項３１のいずれかにかかる装置において、前記ユーザー入力手段は、ユーザーが操作可能なキーを備え、前記制御手段は、キー操作を識別するよう動作可能であること、
を特徴とするもの。
【請求項３３】
請求項２８から請求項３２のいずれかにかかる装置において、前記筐体部又は筐体部(the or a housing portion)は、方向センサを備え、前記データ記憶制御手段は、それに基づいてデイスプレイスクリーンの方向を制御するため、前記方向センサからの方向信号に応じ、前記装置の方向に関するデータを、前記制御手段とやりとりするよう動作可能であること、
を特徴とするもの。
【請求項３４】
前記いずれかの請求項にかかる装置において、前記筐体部は、前記装置のデイスプレイを有すること、
を特徴とするもの。
【請求項３５】
前記いずれかの請求項にかかる装置において、前記筐体部は、例えば、温度、圧力、方向、位置、水、磁界、臭い、の少なくとも一つに反応する少なくとも一の環境センサを備えており、前記データ記憶装置は、前記装置の動作に影響を与えるため、前記センサの出力に関するデータを、前記制御手段とやりとりするよう動作可能であること、
を特徴とするもの。
【請求項３６】
請求項３５にかかる装置において、前記環境センサは、前記メモリの代わりに設けられること、
を特徴とするもの。
【請求項３７】
前記いずれかの請求項にかかる装置において、前記筐体部は、前記装置のカバー（fascia)を備えたこと、
を特徴とするもの。
【請求項３８】
取り外し可能な筐体部を有する本体を備えたポータブル通信装置であって、
前記本体は、モバイル電話通信ネットワークを介し、通信の送受信を可能にする送受信器を有し、
前記装置の動作を制御する制御手段、および
無線周波数キャリア信号を供給する無線周波数信号供給手段、を備え、
前記筐体は、無線周波数信号影響手段(radio frequency affecting means)を有し、前記本体は、前記ポータブル通信装置の動作に影響を与えるため、前記無線周波数信号影響手段の影響を検出する検出手段を有すること、
を特徴とするもの。
【請求項３９】
請求項３８にかかる装置において、前記無線周波数信号影響手段は、インダクタンスに影響を与える部品(industance affecting component)、を備えたこと、
を特徴とするもの。
【請求項４０】
請求項３８にかかる装置において、前記無線周波数信号影響手段は、リッツ線(litz wire)およびＧＭＩ線の少なくとも一つを備えたこと、
を特徴とするもの。
【請求項４１】
モバイル電話通信ネットワークを介し、通信の送受信を可能にする送受信器を有するポータブル通信装置の本体の筐体部の一部を少なくとも形成するよう構成されたポータブル通信装置の筐体部であって、
前記装置の動作を制御する制御手段、
キャリア信号を供給する信号供給手段、を備え、
前記筐体は、第一結合手段から第二結合手段へのキャリア信号の結合を可能にするよう、使用中、前記本体の前記第一結合手段に近接するよう設けられた第二結合手段を有し、前記筐体には、データを記憶するメモリを有するデータ記憶装置が設けられ、
前記第二結合手段と結合するキャリア信号から電源を取り出す電源取出手段、
前記電源取出手段による電源取得に応じ、前記メモリからデータを読み出す制御手段、および
モバイル電話通信の動作に影響を与えるため、前記本体のデータ抽出手段が、前記キャリア信号の前記変調からデータを抽出し、前記本体の前記制御手段に供給可能とするよう、前記メモリから読み出されたデータに基づき、前記キャリア信号を変調する変調手段、を備えたこと、
を特徴とするもの。
【請求項４２】
請求項４１にかかる筐体部において、前記第二結合手段は、前記第一結合手段と誘導的に結合するよう構成されること、
を特徴とするもの。
【請求項４３】
請求項４１にかかる筐体部において、前記第二結合手段は、前記第一結合手段と容量的に結合するよう構成されること、
を特徴とするもの。
【請求項４４】
モバイル電話通信ネットワークを介し、通信の送受信を可能にする送受信器を有するポータブル通信装置の本体の筐体部の一部を少なくとも形成するよう構成されたポータブル通信装置の筐体部であって、
前記筐体部の動作を制御する制御手段、
無線周波数キャリア信号を供給する無線周波数キャリア信号供給手段、および
第一結合手段、を備えており、
前記筐体は、無線周波数信号受信手段、ならびに、データを記憶するメモリを有するデータ記憶手段、を有し、
前記無線周波数信号受信手段により受信された無線周波数キャリア信号から電源を取り出す電源取出手段、
当該電源取出手段による電源取得に応じ、前記メモリからデータを読み出す制御手段、を備え、
前記筐体部は、ポータブル通信装置の動作に影響を与えるため、前記メモリから読み出したデータを前記本体の制御手段に通信するよう、前記本体の前記第一通信手段と協働する第二通信手段、を有すること、
を特徴とするもの。
【請求項４５】
請求項４４にかかる筐体部において、前記第二通信手段は、前記メモリから読み出されたデータに基づき、前記無線周波数キャリア信号を変調する変調手段、を備えたこと、
を特徴とするもの。
【請求項４６】
請求項４４にかかる筐体部において、前記第一および第二通信手段は、第一および第二結合手段を備え、前記無線周波数キャリア信号供給手段は、前記第一結合手段に、前記無線周波数キャリア信号を供給するよう構成されること、
を特徴とするもの。
【請求項４７】
請求項４６にかかる筐体部において、戦記第二結合手段は、前記第一結合手段と誘導的に結合するよう構成されること、
を特徴とするもの。
【請求項４８】
請求項４６にかかる筐体部において、戦記第二結合手段は、前記第一結合手段と容量的に結合するよう構成されること、
を特徴とするもの。
【請求項４９】
請求項４４にかかる筐体部において、前記第二通信手段は、前記第一通信手段と、直接の電気経路、光学的、音響的、機械的又は電気機械振動による、あるいは、電磁信号による、の少なくとも一つによって通信を行うよう構成されること、
を特徴とするもの。
【請求項５０】
請求項４１から請求項４９のいずれかにかかる筐体部において、前記データ記憶装置は、前記信号供給手段により供給される前記信号の周期的な変更に基づき、データを記憶した前記筐体部のためのクロック信号を取り出すクロック信号取り出し手段、を有すること、
を特徴とするもの。
【請求項５１】
請求項５０にかかる筐体部において、前記クロック信号取り出し手段は、欠落パルス検出器、を備えたこと、
を特徴とするもの。
【請求項５２】
請求項４１から請求項４９のいずれかにかかる筐体部において、前記データ記憶装置は、前記電源取出手段による電源の取り出しに応じ、前記データ記憶装置用にクロック信号を生成するクロック信号生成手段を有すること、
を特徴とするもの。
【請求項５３】
請求項４１から請求項５２のいずれかにかかる筐体部において、前記メモリは、書込可能なメモリであり、前記データ記憶装置は、前記変調済みキャリア信号から前記データを取り込むとともに、取り込んだ当該データを前記メモリ内に書き込む書込手段を有すること、
を特徴とするもの。
【請求項５４】
請求項４１から請求項５３のいずれかにかかる装置において、前記メモリに記憶された前記データは、ソフトウエアおよび情報データの少なくとも一つ、を備えたこと、
を特徴とするもの。
【請求項５５】
請求項４１から請求項５３のいずれかにかかる装置において、前記メモリに記憶された前記データは、ポータブル通信装置用の動作ソフトウエアデータ、ゲームソフトウエアデータ、識別データ、前記制御手段が動作ソフトウエアデータ又はゲームソフトウエアデータにアクセスすることを可能にするアクセスデータ、の少なくとも一つを備え、識別データ及び情報データは、グラフィックデータ、音声データ、イメージデータ、ビデオデータ、ならびにテキストデータ、の少なくとも一つ、を備えたこと、
を特徴とするもの。
【請求項５６】
請求項４１から請求項５５のいずれかにかかる装置において、ユーザー操作手段は、前記筐体部と一体化されていること、
こと、
を特徴とするもの。
【請求項５７】
請求項５６にかかるポータブル通信装置において、前記ユーザー操作手段は、キーボード、キーパッド、タッチクスクリーン、ジョイステイック、デジタル化テーブルあるいは他の入力装置、の少なくとも一つを備えたこと、
を特徴とするもの。
【請求項５８】
請求項４１から請求項５５のいずれかにかかる装置において、ユーザー操作手段は、前記筐体部に設けられており、前記データ記憶装置は、前記ユーザー操作手段のユーザー操作に関するデータを前記本体に供給するユーザー操作制御手段、を備えたこと、
を特徴とするもの。
【請求項５９】
請求項５８にかかる装置において、前記ユーザー操作手段は、キーボード、キーパッド、タッチクスクリーン、ジョイステイック、デジタル化テーブルあるいは他の入力装置、の少なくとも一つを備えたこと、
を特徴とするもの。
【請求項６０】
請求項５８又は請求項５９にかかる装置において、前記ユーザー操作制御手段は、多数の異なる方向のいずれかで用いられる前記ポータブル通信装置のデイスプレイを構成するため、前記制御手段に対し、命令を供給するよう動作可能であること、
を特徴とするもの。
【請求項６１】
請求項４１から請求項６０のいずれかにかかる装置において、前記制御手段が、識別データを受信しない場合、あるいは、正しい識別データを受信しない場合、前記メモリに記憶された前記データは、前記制御データが前記筐体部を識別するとともに、前記制御手段が前記ポータブル通信装置の少なくとも一の機能あるいは動作特性を抑制するよう動作可能とする、データを備えたこと、
を特徴とするもの。
【請求項６２】
請求項４１から請求項５５のいずれかにかかる筐体部において、前記筐体部は、そこから前記本体に設けられたキーパッドが突出するキーパッド開口、を含むこと、
を特徴とするもの。
【請求項６３】
請求項４１から請求項５５のいずれかにかかる筐体部において、前記筐体部は、ユーザー入力手段を有し、前記データ記憶手段は、入力動作を識別するとともに、前記ユーザー入力動作を表すコードデータを前記制御手段とやりとりするよう、前記ユーザー入力動作に基づき前記キャリア信号を変調する、データ記憶装置制御手段、を含むこと、
を特徴とするもの。
【請求項６４】
請求項６３にかかる筐体部において、前記データ記憶装置制御手段は、前記ユーザー入力動作を表すＡＳＣIIコードを、前記制御手段とやりとりするよう動作可能であること、
を特徴とするもの。
【請求項６５】
請求項６３又は請求項６４にかかる筐体部において、前記データ記憶装置は、特定のユーザー入力動作と語句又はコマンドを関連づけた制御データを記憶し、かかる動作が検出された場合、前記データ記憶装置制御手段は、特定のユーザー入力動作に対応する前記制御データをやりとりするよう動作可能であること、
を特徴とするもの。
【請求項６６】
請求項６３から請求項６５のいずれかにかかる筐体部において、前記ユーザー入力手段は、ユーザーが操作可能なキーを備え、データ記憶装置制御手段は、キー操作を識別するよう動作可能であること、
を特徴とするもの。
【請求項６７】
請求項４１から請求項６６のいずれかにかかる筐体部において、前記筐体部は、方向センサを備え、前記データ記憶制御手段は、それに基づいてデイスプレイスクリーンの方向を制御するため、前記方向センサからの方向信号に応じて、前記装置の方向に関するデータを、前記制御手段とやりとりするよう動作可能であること、
を特徴とするもの。
【請求項６８】
請求項４１から請求項６７のいずれかにかかる筐体部において、前記筐体部は、前記装置のデイスプレイを有すること、
を特徴とするもの。
【請求項６９】
請求項４１から請求項６８のいずれかにかかる筐体部において、前記筐体部は、例えば、温度、湿度、光、音、化学物質、流体、水、磁界、臭い、の少なくとも一つに反応する少なくとも一の環境センサを備えており、データを記憶した前記筐体部(data storage housing portion)は、前記装置の動作に影響を与えるため、前記センサの出力に関するデータを、前記制御手段とやりとりするよう動作可能であること、
を特徴とするもの。
【請求項７０】
請求項６９にかかる筐体部において、前記環境センサは、前記メモリの代わりに設けられること、
を特徴とするもの。
【請求項７１】
請求項４１から請求項７０のいずれかにかかる筐体部において、前記筐体部は、前記装置のカバーを備えたこと、
を特徴とするもの。
【請求項７２】
モバイル電話通信ネットワークを介し、通信の送受信を可能にする送受信器を有する本体と協働するよう構成されるポータブル通信装置の筐体部であって、
前記装置の動作を制御する制御手段、および
無線周波数キャリア信号を供給する無線周波数信号供給手段、を備え、
前記筐体は、前記無線周波数信号影響手段を有すること、
を特徴とするもの。
【請求項７３】
請求項７２にかかる筐体部において、前記無線周波数信号影響手段は、インダクタンスに影響を与える部品、を備えたこと、
を特徴とするもの。
【請求項７４】
請求項７２にかかる筐体部において、前記無線周波数信号影響手段は、リッツ線およびＧＭＩ線の少なくとも一つを備えたこと、
を特徴とするもの。
【請求項７５】
ポータブル通信装置であって、
モバイル電話通信ネットワークを介し、通信の送受信を可能にする送受信器、および
前記装置の動作を制御する制御手段、を備え、
前記ポータブル通信装置は、当該ポータブル通信装置が、前記無線周波数信号に応答するデータ記憶装置を設けた物体(article)の近傍に位置する場合、前記データ記憶装置に、からの電源を取り出させるとともに、前記データ記憶装置により記憶されたデータに基づき、前記無線周波数信号を変調させる無線周波数信号供給手段を有し、前記ポータブル通信装置は、前記ポータブル通信装置の動作に影響を与えるため、前記変調済み無線周波数信号から前記データを抽出するデータ抽出手段を有すること、
を特徴とするもの。
【請求項７６】
請求項７５にかかる装置において、前記制御手段は、前記データ記憶装置から受信した前記データに基づいて決定された前記ネットワーク上のある位置に対し、前記モバイル電話通信ネットワークを介して送信を行うよう構成されること、
を特徴とするもの。
【請求項７７】
請求項７５又は請求項７６にかかる装置において、前記無線周波数信号供給手段は、前記送受信器、を備えたこと、
を特徴とするもの。
【請求項７８】
請求項７５又は請求項７６にかかる装置において、前記無線周波数信号供給手段は、前記送受信器から独立したものであること、
を特徴とするもの。
【請求項７９】
請求項７５から請求項７８のいずれかにかかるポータブル通信装置は、携帯電話、あるいは、セルラー携帯電話の形態であること、
を特徴とするもの。
【請求項８０】
請求項７５から請求項７９のいずれかにかかるポータブル通信装置、および、データを記憶したメモリを有するデータ記憶装置を設けた物体、を備えたデータ送信システムであって、
前記ポータブル通信装置が前記物体に近接した場合、前記ポータブル通信装置から供給された前記無線周波数信号から電源を取り出す電力取出手段、
前記電源取出手段による電源取得に応じ、前記メモリからデータを読み出す制御手段、および
前記データ記憶装置により記憶されたデータに基づき、前記無線周波数信号を変調する変調手段、を備えたこと、
を特徴とするもの。
【請求項８１】
請求項８０にかかるシステムにおいて、前記物体は、製品、チケット、広告材料、自動販売機、他のポータブル通信装置、アクセス制御装置、の少なくとも一つを備えたこと、
を特徴とするもの。
【請求項８２】
モバイル通信装置であって、受動的データ記憶装置が近傍にある場合、前記データ記憶装置を起動させ、当該データ記憶装置にデータを送信させるため無線周波数信号を供給する無線周波数供給器、を有するとともに、前記データ記憶装置により送信されたデータを読み取るリーダー、を有すること、
を特徴とするもの。
【請求項８３】
本体およびアクセサリーを備えた電気装置であって、
前記本体は、前記装置の動作を制御する制御手段、ならびに、キャリア信号を供給する信号供給手段、を有し、
前記本体および前記アクセサリーは、当該アクセサリーが前記本体の近傍にある場合、あるいは、それに取り付けられた場合に、第一結合手段から第二結合手段への前記キャリア信号の結合が可能となるよう互いに近接するよう設けられた前記第一ならびに前記第二結合手段をそれぞれ有し、
前記アクセサリーは、データを記憶したメモリを有するデータ記憶装置、前記第二結合手段と結合するキャリア信号から電源を取り出す電源取出手段、前記電源取出手段による電源取得に応じ、前記メモリからデータを読み出す制御手段、ならびに、前記メモリから読み出したデータに基づき、前記キャリア信号を変調する変調手段、を備え、
前記本体は、前記変調されたキャリア信号からデータを抽出するデータ抽出手段、および、前記装置の動作に影響を与えるため、前記本体の前記制御手段に前記データを供給するデータ供給手段、を有すること、
を特徴とするもの。
【請求項８４】
本体および工具の形態のアクセサリー、を備えた電気装置であって、
前記本体は、前記工具の動作を制御する制御手段、および、キャリア信号を供給する信号供給手段、を有し、
前記本体及び前記工具は、当該工具が前記本体の近傍にある場合、あるいは、それに取り付けられた場合に、第一結合手段から第二結合手段への前記キャリア信号の結合が可能となるよう互いに近接するよう設けられた前記第一ならびに前記第二結合手段をそれぞれ有し、
前記アクセサリーは、データを記憶するメモリを有するデータ記憶装置、前記第二結合手段と結合するキャリア信号から電源を取り出す電源取出手段、前記電源取出手段による電源取得に応じ、前記メモリからデータを読み出す制御手段、ならびに、前記メモリから読み出したデータに基づき、前記キャリア信号を変調する変調手段、を備え、
前記本体は、前記変調されたキャリア信号からデータを抽出するデータ抽出手段、および、前記アクセサリーの動作又はその機能に影響を与えるため、前記本体の前記制御手段に前記データを供給するデータ供給手段、を有すること、
を特徴とするもの。
【請求項８５】
本体および工具の形態のアクセサリー、を備えた電気装置であって、
前記本体は、前記工具の動作を制御する制御手段、および、キャリア信号を供給する信号供給手段、を有し、
前記工具は、当該工具が前記本体の近傍又はそれに取り付けられた場合に、前記信号供給手段により供給された信号に影響を与える部品、を有し、
前記本体は、前記信号供給手段により供給された前記信号についての前記影響を検出する検出手段、を有し、
前記本体の前記制御手段は、前記検出手段の前記検出に応じ、前記工具の動作又はその機能に影響を与えるよう構成されること、
を特徴とするもの。
【請求項８６】
請求項１から請求項８２のいずれかに規定された前記ポータブル通信装置の特徴を有する電気装置であって、モバイル電話通信ネットワークを介して通信を行う能力を有しないこと、
を特徴とするもの。
【請求項８７】
通信装置用のユーザーインターフェース装置であって、当該ユーザーインターフェース装置は、ユーザーインターフェース、受動的制御装置、前記ユーザーインターフェース装置の結合手段が、前記通信装置の結合手段に結合する場合、電源を取り出す電源取出手段、ならびに、前記ユーザーインターフェース装置が前記通信装置と結合された場合、前記ユーザー入力装置のユーザーによる操作に応じてユーザーが入力したデータを前記通信装置に供給するデータ供給手段、を有すること、
を特徴とするもの。
【請求項８８】
通信装置の一部を構成するための部品であって、当該部品は、請求項４１から請求項７４のいずれかに規定されたデータ記憶装置の特徴を有するデータ記憶装置を有し、あるいは、形成すること、
を特徴とするもの。
【請求項８９】
ユーザーインターフェースを有する製品情報提供システムにおいて、
異なる製品は、前記データ記憶装置の近傍に位置するモバイル通信装置から無線周波数信号を受信したことに応じ、それに対応する受動的データ記憶装置であって、そのそれぞれが、前記モバイル通信装置に前記製品に関するデータ源又は当該受動的データ記憶装置に関連づけられた情報との通信をさせるもの、と関連づけられること、
を特徴とするもの。
【請求項９０】
自動販売機であって、請求項８９にかかる製品情報提供システム、および、その製品に関するデータの受信に応じ、ユーザーに当該製品を供給する製品供給機、を備えたこと、
を特徴とするもの。
【請求項９１】
請求項１０にかかる装置において、前記第二通信手段は、前記第一通信手段と近接するとともに当該第一通信手段と前記アンテナ間に存するよう、位置すること、
を特徴とするもの。
【請求項９２】
請求項８３から請求項８６のいずれかにかかる電気装置であって、当該電気装置は、歯ブラシの形態であること、
を特徴とするもの。
【請求項９３】
請求項８３から請求項８６のいずれかにかかる電気装置であって、当該電気装置は、フードプロセッサー、電気掃除機のような家電の形態であること、
を特徴とするもの。
【請求項９４】
請求項８３から請求項８６のいずれかにかかる電気装置であって、当該電気装置は、ヘアドライヤー、シェーバーのようなパーソナルケア製品の形態であること、
を特徴とするもの。
【請求項９５】
請求項８３から請求項８６のいずれかにかかる電気装置であって、当該電気装置は、医療機器の形態であること、
を特徴とするもの。
【請求項９６】
請求項８３から請求項８６のいずれかにかかる電気装置において、前記制御手段は、、前記制御手段が、最近、前記アクセサリーからデータを読み出していない、又は、読み出したことがない場合、前記装置の動作を抑制するよう動作可能であること、
を特徴とするもの。
【請求項９７】
請求項９６にかかる電気装置において、前記アクセサリーは、蓋(lid)、グローブ(glove)などであること、
を特徴とするもの。
【請求項９８】
請求項８３から請求項８６のいずれかにかかる電気装置において、前記アクセサリーは、分離又は移動可能であり、前記制御手段は、当該アクセサリーが前記本体から離脱すると、前記装置の動作を抑制するよう動作可能であること、
を特徴とするもの。
【請求項９９】
本体を有するポータブル通信装置であって、当該本体は、請求項１から請求項７９のいずれかに規定された特徴を有すること、
を特徴とするもの。
【発明の詳細な説明】
【技術分野】
【０００１】
本発明は、取り付け可能部品を有する電気装置、特に、モバイル電話通信ネットワークを用いる電話等のポータブル通信装置、ならびに、かかるポータブル通信装置に取り付け可能な部品に関する。
【背景技術】
【０００２】
モバイル電話通信ネットワークを用いて動作する電話は、携帯電話(mobile pohone)、セルラー携帯電話(cellular phone)およびセル方式の携帯電話(cell phone)として知られている。簡易化のため、ここでは”携帯電話”という語を用いる。
【０００３】
エンドユーザーによって交換が可能なカバー(fascia)を設けることは、美的な、あるいは、審美性の観点から、最近、人気が高い。
【発明の開示】
【課題を解決するための手段】
【０００４】
ある側面において、本発明は、携帯電話に取り付けられた場合に、かかる携帯電話の機能および／又は動作特性に影響を与えるカバー等の、モバイル電話筐体部を提供する。
【０００５】
かかる携帯電話のカバーは、携帯電話に、追加の、異なる又は変更を加えた機能あるいは動作特性を、提供する。異なる携帯電話のカバーは、携帯電話に異なる影響を与える。例えば、携帯電話の機能あるいは動作特性へのアクセスを、携帯電話に取り付けられた特定のカバーにより制限又は制御してもよい。
【０００６】
ある側面において、本発明は、携帯電話等のポータブル通信装置用のカバーであって、かかるカバーが、本体に取り付けられおよび／又はそこから取り外され、携帯電話の機能および／又は動作特性に影響を与える場合、当該カバーは、携帯電話の本体に供給される制御データ（ソフトウエアデータおよび／又は情報データであってもよい）を記憶する受動的データ記憶装置を有するもの、を提供する。
【０００７】
ここで用いられる”受動的データ記憶装置”という語は、電源を内蔵するものではないが、カバーが本体に取り付けられた場合に、本体からの電力を取り出すような装置、を意味する。
【０００８】
また、ある側面において、本発明は、本体上にカバーが取り付けられるよう構成された本体ならびにカバーを有する携帯電話であって、カバーが受動的検出エレメントを設け、本体が前記受動的検出エレメントの存在を検出する検出手段、ならびに、制御データに基づき携帯電話の機能および動作特性を制御する制御手段、を有するもの、を提供する。ここで、制御手段によりアクセスされた制御データは、受動的取り外し可能部品の存在、又は、特定の受動的検出可能部品の存在、により影響を与えられる。ここで用いられる”受動的取り外し可能部品”という語は、電源を内蔵するものではないが、電源が求められる場合、カバーが本体に取り付けられていると、本体から電源を取り出す部品、を意味する。
【０００９】
ある実施形態において、制御データは、グラフィクス；携帯電話サービス；加入サービス；ネットワークサービス；サービス；プロモーション；および広告；カバー識別データ；新しいゲーム又は既に携帯電話においてインストールされたゲームの改訂版を含む携帯電話上でプレーされるゲーム用のゲームソフトウエア；ならびに、ユーザーが自身の携帯電話を用い、一以上の上述の形式のデータへのアクセスが可能となるデータ、例えば、携帯電話により既に記憶されている制御データへのアクセスを可能にするアクセスコード、あるいは、電話番号、インターネットアドレス又はＷＡＰアドレス等のデータであって、そこから制御データ、又は、ユーザーのモバイルネットワークプロバイダー、あるいは、他の第三者サービスプロバイダーへのアクセス可能なデータ、の少なくとも一つのデータを備えてもよい。
【００１０】
ある側面において、本発明は、電話用のカバーであって、かかるカバーが、当該カバーが本体に取り付けられた場合、ユーザーにより電話の追加又はオプション機能にアクセスか行われたか否か、例えば、本体により記憶された追加のオプショナルの呼び出し音へのアクセスおよび／または、本体により記憶されたゲームプログラムあるいはゲームの変更へのアクセス、を電話により識別可能な識別データを記憶するデータ記憶装置を備えたもの、を提供する。
【００１１】
カバーがデータ記憶装置を備えている場合、かかるデータ記憶装置は、その中に、使用データ等の履歴データを書き込むことのできる書込み可能記憶装置である。
【００１２】
かかるデータを、このデータのデータ記憶装置への書込を制御する携帯電話の本体により記憶してもよい。データは、ＳＩＭカード、メモリ内に記憶してもよい。
【００１３】
ある実施形態において、携帯電話のカバーは、そこからユーザーインターフェースのキーパッドが突出する開口を有している。
【００１４】
他の実施形態において、携帯電話のカバーは、ユーザーインターフェースを備えている。かかるユーザーインターフェースは、少なくとも、キーボード、タッチスクリーン等の少なくとも一つであってもよい。異なるカバーは、異なるタイプのインターフェースを備えるようにしてもよい。
【００１５】
自身の電源を必要としないデータ記憶装置を使用することにより、費用の低減が可能となるだけでなく、かかる受動的データ記憶装置は、製造コストが比較的安価であり、比較的容易に製品内に組み込み可能である（例えば、プラスチック成形工程において）ので、受動的データ記憶装置を組み込むのに多大なコストはかからない。
【００１６】
データは、電気装置又は電気機器により供給され、データ記憶装置がそこから自身の電力を取り出す、キャリア信号による変調によってやりとりしてもよい。
【００１７】
他の側面において、かかる装置は、ポータブルあるいはモバイル通信装置以外の電気装置であり、取り付け可能部品は、少なくとも、筐体部又は工具のいずれか、あるいは取り付け可能でなく、電気装置に設けられ、リーダーユニットと近接するよう構成される。   また、本発明は、受動的検出可能エレメントを有する工具を提供する。
【００１８】
さらに、本発明は、電気器具の本体に取り付け可能な工具であって、かかる工具が電気器具の本体に取り付けられた場合に、電気器具による工具の動作制御に影響を与えるよう、本体から制御データをダウンロードするよう受動的データ記憶装置を備えたもの、を提供する。
【００１９】
例えば、振動可能、往復可能、発振可能、あるいは、回転可能な工具の場合、制御データは、工具が振動、往復、回転、発振あるいは往復する速度又は長さに影響を与える。かかる制御データは、電気器具が自身のメモリから、その工具用に、要求された駆動特性（例えば、速度ならびに時間）を決定することを可能にする識別データでもよく、あるいは、電気器具に、特定の工具をどのように制御するか、を命令する命令データであってもよい。
【００２０】
例として、電気器具は、電気歯ブラシ等の歯科衛生器具、スキンケア装置等の美容ケア装置又はドライヤー、電気掃除機、フードプロセッサー等の家電、あるいは、電動工具であってもよい。
【発明の実施するための形態】
【００２１】
ここで、本発明の実施形態について、添付の図面を参照しつつ、一例として説明する。
【００２２】
図１は、本体５、ならびに、取り付け可能な、ここでは、取り外しも可能な、カバー(fascia)３を有する典型的な携帯電話すなわちセル方式の携帯電話１を表している。かかるカバー３は、携帯電話１の本体５上に設けられているキーパッド（図示せず）に嵌合する複数の穴１１を備えたユーザー入力アレイ９で形成されている。この場合、かかるカバー３には、それを介し、携帯電話１の本体に設けられている液晶デイスプレイ（ＬＣＤ）（図１には図示せず）が見える透明なプラスチック・ウインドウ１３、が設けられている。かかる携帯電話１は、通信信号を送受信可能とするアンテナ７も備えている。
【００２３】
取り外し可能なカバー３の内側表面には、受動的データ記憶装置１７が設けられ、あるいは、埋め込まれている。通常、カバー３は、プラスチック材料を成形加工してできており、受動的データ記憶装置１７は、成形加工中に、カバー３の筐体内（例えば、埋め込まれまたは表面内部）に密閉される。
【００２４】
携帯電話１の本体は、リーダーユニット１５を有している。かかるリーダーユニット１５は、カバー３が本体５に取り付けられている場合、図示したように、受動的データ記憶装置１７がリーダーユニット１５の範囲内すなわち近傍となるよう、に位置するので、以下で詳細を説明するように、受動的データ記憶装置１７のカプラーとリーダーユニット１５は、受動的データ記憶装置１７がリーダーユニット１５から供給された信号から電力を取り出すことが可能になるよう結合し、これにより始動した場合、制御データを内部のメモリ内に送る。
【００２５】
図２は、携帯電話１の機能ブロック図を示している。かかる携帯電話１の本体５は：ユーザーがスピーチを入力し、音声出力を聞くことを可能とするマイク３３およびスピーカー３１；ユーザーがかける電話番号、および、携帯電話１の種々の特長を制御する命令を入力可能とするユーザー入力装置２５（この場合、キーボード）；かかってきた電話、ならびに、かけた電話の電話番号が表示され、ＳＭＳテキストメッセージおよび他の情報をそこに表示することができるデイスプレイ３７；図１に示すアンテナ７を有し、ＧＳＭ（グローバル・システム・フォー・モバイル・コミュニケーションズ）、ＧＰＲＳ（汎用パケット無線システム）あるいは３Ｇ（第三世代の、ＧＳＭ）システム等、または将来のかかるネットワークを用い、モバイル電話通信ネットワークを介して通信の送受信を可能とする送受信機７a；を備えている。
【００２６】
上記機能部品は、適切なインターフェース（図示せず）を介し、携帯電話１の全体の動作を制御する携帯電話プロセッサ２３、と結合している。かかる携帯電話プロセッサ２３は、制御操作ソフトウエアおよび情報データを記憶した読み出し専用部、ならびに、ユーザーにより携帯電話に入力され、あるいは、モバイル電話通信ネットワークを介して携帯電話が受信した電話番号およびメッセージの記憶を可能とする書込可能部、を有する不揮発性メモリ２９、を備えている。
【００２７】
本技術でよく知られているように、携帯電話１は、さらに、加入者識別モジュール（ＳＩＭ）２７、を備えている。かかるＳＩＭ２７は、ユーザ固有データおよびアルゴリズムならびにモバイル通信サービスプロバイダのオペレータに対して固有データを与える、検出可能なモジュールである。モバイル通信プロセッサ２３は、線２３aを介し、リーダーユニット１５に接続される。
【００２８】
かかるリーダーユニット１５は、線２３aを介して携帯電話プロセッサ２３に接続し、取り替え用カバー又はカバー部３が携帯電話の本体に取り付けられた場合に、受動的データ記憶装置１７に設けられた類似する第二カップリングエレメントすなわちカプラーＬＣ２（図４参照）に接続するよう配置された第一カップリングエレメントすなわちカプラーＬＣ１にも接続する、リーダー２１を備えている。
【００２９】
図２には示されていないが、携帯電話１のバッテリーによって携帯電話１の部品およびマスタユニット１５に電力が供給されるのは、明かである。しかし、別の電源を設けてもよい。
【００３０】
図３は、カップリングエレメントすなわちカプラーＬＣ１およびリーダー２１から構成されるリーダーユニットを示している。かかるリーダー２１は、通常は不揮発性であるが、例えばバッテリによるバックアップがされていれば揮発性でも可能なメモリ５３、を有するリーダーマイクロプロセッサすなわちマイクロプロセッサ５１、を備えている。リーダーマイクロプロセッサ５１の制御下で発振制御器４１により制御される発振器４３は、カップリングエレメントＬＣ１に対し発振器出力信号を供給する。リーダーマイクロプロセッサ５１は、発振器４３の動作を制御するため、発振制御器４１を制御するととともに、カバー３内のデータ記憶装置１７がそこから後述するクロック信号を取り出すことができる信号を供給するよう、発振器４３の出力を中断させるため、発振制御器４１を制御する。  第一カップリングエレメントＬＣ１は、振幅変調された信号からの復号を可能にする復調器４５にも接続されている。かかる復調信号は、リーダーマイクロプロセッサ５１に対し、バイナリの１又はゼロの列を表すデジタル信号を提供する信号処理回路４００に供給される。受動的データ記憶装置から制御データを受信すると、リーダーマイクロプロセッサ５１は、携帯電話の機能性あるいは動作性能に影響を与えるよう、データ線２３a上でモバイル通信プロセッサ２３との通信を行う（図２参照）。
【００３１】
図４は、検出可能部品１７を構成する、ある受動的データ記憶装置の簡易化したブロック図を示している。図示したように、かかる受動的データ記憶装置１７は、受動的データ記憶ユニット５４ならびにカプラーすなわちカップリングエレメントＬＣ２、を備えている。かかる受動的データ記憶ユニット５４は、第一カップリングエレメントＬＣ１と第二カップリングエレメントＬＣ２が結合することによりリーダーユニット１５から受動的データ記憶装置１７へ結合する発振信号より受動的データ記憶ユニット用の電源を取り出す電源取出器ＰＤ、リーダーユニット１５に供給される制御データを記憶する不揮発性メモリの形式によるデータ記憶装置５９、ならびに、データ記憶装置５９からのデータの読み出しおよび受動的データ記憶装置１７と誘導的に結合する発振信号を変調する変調器Ｍに対するかかるデータの供給を制御する制御器６００、から構成される。状況に応じ、上記受動的データ記憶装置は、以下の述べる理由によりセンサＳを含むようにしてもよい。
【００３２】
図５ならびに図６は、リーダー１５の例、ならびに、受動的データ記憶装置１７の例、を表すブロック図をそれぞれ示している。この例において受動的データ記憶装置１７およびリーダー１５は、誘導的なカップリングにより、キャパシタＣ１およびインダクタＬ１、ならびに、同Ｃ２および同Ｌ２が互いに並列接続を形成する、カプラＬＣ１およびＬＣ２が通信を行うよう構成される。短いレンジでは必要ないが、かかる誘導カプラーは、同調回路を形成する。また、選択的なセンサＳは、図６に示されていない。
【００３３】
図５に示す例において、信号処理回路４００は、変調レベル検出器４７ならびにしきい値検出器４９から構成されているが、変調器４５は、ダイオードの単純な整流器である。上記変調レベル検出器４７は、リーダーマイクロプロセッサ５１により制御されるコンパレーター４７０および平均化回路４７１、を備えている。復調器４５からの出力は、コンパレーター４７０のプラス入力に供給される。復調器４５からの出力の平均値は、平均化回路４７１によりコンパレーター４７０のマイナスあるいは反転入力へ供給される。コンパレーター４７０の出力は、信号としきい値間の関係に基づき、リーダーマイクロプロセッサ５１に１又はゼロを供給するしきい値検出器４９に供給される。
【００３４】
この例において、発振制御器４１は、発信器４３によって、リーダーマイクロプロセッサ５１から受けた信号に基づき第一カップリングエレメントＬＣ１に対するキャリア信号のオン又はオフを制御する、ロジック回路４３あるいはトランジスタースイッチであり、平均回路４７１は、通常、リーダーマイクロプロセッサ５１により誘導性になるよう制御される、コンパレーター４７０の反転入力とトランジスタスイッチまたはトランスミッションゲートによるグランド間に接続された平均化キャパシター、から構成される。ここで、キャリア信号が存在し、過渡信号は安定したがそれがオフである場合、キャリアはオフであり、キャリアがターンオン過程の間は、安定したキャリ信号が存在する間にのみ平均化が行われる。
【００３５】
図６に示すように、受動的データ記憶ユニット５４の電源取出器ＰＤは、直列接続のダイオードＤ１およびＤ２、ならびに、カップリングエレメントＬＣ２とダイオードＤ１のアノードとダイオードＤ２のカソード間の接点Ｊ１間に接続されている、キャパシタＣ４、を備えている。第二ダイオードＤ２のアノードが第二電源レールＰ２（Ｖｓｓ）に接続されているのに対し、第一ダイオードＤ１のカソードは、第一電源レールＰ１（Ｖｄｄ）に接続されている。キャパシタＣ４ならびにデイオードＤ１およびＤ２は、実質的に、受信した交流電圧のピーク・トゥ・ピーク電圧、あるいは、発振信号から受動的データ記憶ユニット５４用の電力を取り出すためダイオードＤ１およびＤ２により用いられるカップリングエレメントＬＣ１およびＬＣ２により受動的データ記憶装置１７と誘導的に結合する発振信号を可能とする、電圧ダブラ(voltage doubler)として機能する。
【００３６】
もちろん、簡易化のため、受動的データ記憶ユニット５４の残りの部品に対する電源接続は、図６に示されないことが、理解されよう。
【００３７】
この例において、制御器６００は、発信器４３により供給される中断発振信号(interrupted oscillator signal)からデータ記憶ユニット５４用のクロック信号を取り出すため、接点Ｊ１と結合する欠落パルス検出器(missing pulse detector)の形式のクロック信号取出器６００ｃ、および、クロック信号に同調するアドレスカウンタ６００a、を備えている。かかる制御器６００は、受動的データ記憶ユニット５４に所定時間電力が供給されていない場合に、カウンタ６００aをリセットするリセットスイッチ６００ｂ、を備えてもよい。
【００３８】
この例において、制御器６００は、メモリ５９から読み出されるデータを、カプラーＬＣ２のキャパシタと交わるように接続されるＦＥＴ  Ｔ１およびキャパシタＣ３からなる直列接続を有する変調器Ｍに直接与える。これにより、メモリ５９の出力５９aは、ＦＥＴ  Ｔ１のゲート側に接続される。この例において、メモリは、シリアルの読み出し専用メモリ（ＲＯＭ）である。しかし、バッテリーによるバックアップを要しないものであれば、ＲＯＭ、ＥＥ−ＰＲＯＭ(電気的に書き換え可能なROM）、フラッシュメモリ、Ｆ−ＲＡＭ等、どのような形式の不揮発性メモリであってもよい。
【００３９】
交換可能なカバー３が、携帯電話１の本体５に取り付けられると、補助ユニット１７のカップリングエレメントＬＣ１は、リーダーユニット１５のカップリングエレメントＬＣ２に近傍に隣接して位置することにより、補助ユニット１７をマスターユニット１５に誘導的に結合する。リーダー２１の発信器４３は、第一カップリングエレメントＬＣ１に供給され、第二カップリングエレメントＬＣ２を介して受動的データ記憶装置１７に誘導的に結合される、通常、１３．５６ＭＨｚ（メガヘルツ）の高周波数信号又はＲＦ（無線周波数）信号を生成する。したがって、キャパシタＣ４およびダイオードＤ１、Ｄ２により構成される電圧ダブラは、受動的データ記憶装置用に電力を取り出し、電力が与えられると、クロック信号取出器６００ｃは、中断された発信信号からクロック信号を取り出し、制御データは、カウンタ６００aの制御の下、メモリ５９から出力線５９a上に出力される。
【００４０】
制御データが、メモリ５９から出力線５９a上に出力されると、かかるデータはＦＥＴ  Ｔ１を切り換える。インダクタＬＣ２の両端の負荷は、ＦＥＴ  Ｔ１が導電性か非導電性のいずれかにより変化し、メモリ５９から出力された制御信号に基づき、発振信号を変調する。
【００４１】
メモリ５９から出力された制御データは、携帯電話プロセッサー２３（図２および図３）に対し、メモリ５９から出力されたデータを表すデータ入力信号を提供するため、復調器４５、変調レベル検出器４７、しきい値検出器４９ならびにリーダーマイクロプロセッサ５１によって、変調された発振信号から抽出される。
【００４２】
メモリ５９から出力され、リーダーマイクロプロセッサ５１によって携帯電話プロセッサー２３にダウンロードされたかかる制御データは、メモリ２９の書込可能部内に記憶される。この制御信号は、ソフトウエアデータ、すなわち、携帯電話プロセッサー２３により実施又は実行可能なコンピュータコード、携帯電話プロセッサー２３により使用可能であるようメモリ２９内に記憶された情報データ、の少なくとも一つを備えるようにしてもよい。ソフトウエアデータの一例として、カバーが携帯電話の供給者又は製造者により供給され、あるいは、そのライセンスの下で供給される場合には、受動的データ記憶装置からダウンロードされたデータが、いずれの携帯電話プロセッサーソフトウエアの更新又は変更を含んでもよい。これに加え、又は、これに代え、ソフトウエアデータは、携帯電話に設けられた現存するゲームシフトウエア又に対する更新又は変更、あるいは、新しいゲームソフトウエア、を含んでもよい。
【００４３】
情報データは、ソフトウエアデータに代え、あるいは、ソフトウエアの追加として与えられるようにしてもよい。メモリ５９により記憶される情報データの例には、例えば、ダイヤル又は呼び出し音、電話番号、インターネットアドレスおよび／又はＷＡＰアドレスが含まれ、これらは、カバーの供給者が、新しい呼び出し音を供給すること、および／又は、自身、あるいは、他の会社が、その電話番号、インターネットアドレス又はＷＡＰアドレスを提供することで広告を行うことにより、購入者を魅了することが可能となる。制御データの他の例は、グラフィックデータ、音声データ、イメージデータ、ビデオデータ、生体的データ(biometric data)、携帯電話サービス、加入者サービス、ネットワークサービス、プロモーション、広告等を含んでもよい。
【００４４】
上述のように、受動的データ記憶装置により記憶された制御データは、実際のソフトウエア、および／又は、情報データ又はユーザーのモバイルネットワークプロバイダ又は他の第三者、サービスプロバイダの身元あるいはアドレス、から構成される。他の可能性として、受動的データ記憶装置により記憶された制御データは、ユーザーがかかるソフトウエアおよび／又は情報データにアクセス可能なアクセスデータであってもよい。例えば、このアクセスデータは、携帯電話のユーザーが、新しいソフトウエアデータおよび／又は情報データ、あるいは、ユーザーのモバイルネットワークプロバイダ又は他の第三者の身元、アドレスをダウンロードするために接続可能な携帯電話番号あるいはＷＡＰアドレスから構成されてもよい。他の可能性として、アクセスデータをダウンロードすると、携帯電話プロセッサ２３は、それに対して携帯電話は既にプログラムされているが、それ自体はユーザーに対して現在、使用が禁止されている別の設備である、例えば、国際通話アクセス、ボイスメールおよびメッセージ受信設備等の、追加設備を構成する。また別の可能性として、かかるアクセスデータは、携帯電話プロセッサ２３により、ユーザーが、メモリ２９内に以前記憶したデータにアクセスすることを可能にするが、ユーザーに対し、アクセスができないようにする。かかるデータは、呼び出し音、電話番号および／又はＷＡＰアドレス、ならびに携帯電話の処理ソフトウエアに対する変更および又は更新、あるいは、既にユーザーに使用可能なゲームソフトウエア又は新しいゲームソフトウエア等のソフトウエアデータ、等の情報データを含んでもよい。
【００４５】
前記アクセスデータは、例えば、携帯電話２３が、自身のメモリ内に記憶したデータと比較することにより、特定タイプのカバー３を識別することを可能にする身元コードであってもよい。次に、携帯電話プロセッサ２３は、識別されたカバー３に基づき、ユーザーが使用可能な携帯電話の機能および能力を制御する。
【００４６】
携帯電話プロセッサが、制御データを受信しないか、あるいは、誤った又は理解不能なデータ（例えば、誤ったアクセス又は身元コードデータ）を受信した場合、携帯電話プロセッサ２３は、当該カバーが偽物あるいは認識できないカバーであることを識別し、携帯電話の機能を変更又は制限するようプログラムしてもよい。携帯電話プロセッサ２３は、全て又は特定の選択された特性あるいは機能へのアクセスを抑制してもよく、本物のカバーが携帯電話に取り付けられるまで、かかる特性あるいは機能の使用を抑制し続けるようにしてもよい。例えば、携帯電話プロセッサ２３が、前記カバーが偽物のカバーであると判断した場合、携帯電話プロセッサ２３は、携帯電話を通じて利用可能な多数の機能を単に制限してもよく、例えば、携帯電話プロセッサ２３は、利用可能な呼び出し又はダイヤル音の数、あるいは、メッセージ受信オプション、を制限、例えば、緊急の発信のみ可能となるよう携帯電話を”ロック”してもよい。
【００４７】
携帯電話プロセッサ２３は、交換されたカバーが本物ではない、という事実をユーザーに知らせるため、彼らに対するメッセージを表示するようにしてもよい。偽物の交換カバーを用いることは、携帯電話の機能に不利益をもたらすものではないし、ユーザーの安全性に関して潜在的な不利益をもたらすものではないので、携帯電話プロセッサ２３は、ユーザーに対し、カバーは本物ではないという事実を知らせるメッセージを単にデイスプレイ３７上に表示してもよい。
【００４８】
また、携帯電話プロセッサ２３は、自身が、他のモデルの携帯電話用の本物の交換カバーを識別することができ、携帯電話プロセッサが、誤った識別データを受信したと判断した場合、デイスプレイ３７がユーザーに対し、誤った交換カバーが取り付けられた、という事実を知らせるメッセージを表示するようプログラムされてもよい。
【００４９】
上述のように、受動的データ記憶装置に電力が与えられるので、第一および第二カップリングエレメントＬＣ１とＬＣ２が誘導的に結合した場合、いつでも、そこに記憶したデータをマスターユニット１５に供給する。リーダーマイクロプロセッサーは、携帯電話プロセッサ２３に対し、連続的又は周期的に受信データを送ってもよい。しかし、受動的データ記憶装置に１７に対して連続的に電力を供給すると、携帯電話のバッテリーを使い切ってしまう(present a drain)。したがって、受動的データ記憶装置１７が自身のデータを送信するため、周期的に動作するよう、所定間隔だけで、発振制御器４１に発振器４３の切り換えをさせるよう、リーダーマイクロプロセッサー５１をプログラムしてもよい。一般に、受動的データ記憶装置１７にとっては、交換カバー３が携帯電話の本体に結合された場合にのみ、自身のデータをリーダーユニット１５に送信することが好ましい。このことは、リーダーマイクロプロセッサー５１に、カバー３が存在するか否かを表す信号を供給する単純な結合システムを用いることにより達成される。例として、受動的データ記憶装置１７の密閉された筐体の一部には、カバー３が本体と接続する場合に、接地又はアース（図５のＧ）するため、リーダーマイクロプロセッサー５１のピン（図５の５１a)と結合する導電片（図１の１７a)を設けてもよく、リーダーマイクロプロセッサーは、かかるピンの状態を周期的にチェックしもよい。リーダーマイクロプロセッサーが、当該ピンの電圧が高くなったことを検出すると、カバー３が除去されたと判断し、当該ピンの電圧が再び低くなったことを検出すると、カバー３が再び本体５に取り付けられたか、あるいは、別のカバー３が取り付けられたと判断するので、受動的データ記憶装置１７に電力を与えるため、発信制御器４１を始動させ、発信器４３のスイッチを入れる。
【００５０】
上述の実施形態において、受動的データ記憶装置１７は、同期受動的データ記憶装置、すなわち、受動的データ記憶５４のクロック信号がリーダーマイクロプロセッサー５１により制御され同期される、ものである。しかし、受動的データ記憶装置１７は、非同期装置、すなわち、図４に示す接点Ｊ１に接続するクロック信号取出器６００ｃを、受動的データ記憶装置用に独立したクロック信号を生成するため同期受動的データ記憶装置により電力が取り出された場合に電力が与えられる、クロック信号生成器に置き換えたもの、であってもよい。また、図６では、メモリ５９からのデータを数えるためカウンター６００aを使用している場合を示しているが、もちろん、メモリ５９が単に自身のデータおよびアドレスを出力する場合、カウンター６００aは不要であることが、理解される。さらに、受動的データ記憶５４は、メモリ５９からのデータの読み出しを制御し、アクセスされる当該メモリ５９の異なる部分（ならびに異なったデータ）を使用可能とするとともに、リーダーマイクロプロセッサー５１からの命令に基づいて読み出しを行う、マイクロコントローラーを組み込んでもよい。かかる命令は、発振信号の長・短期間の割り込みを表す０および１により送信してもよい。
【００５１】
上述の実施形態において、受動的データ記憶装置は、リーダーから受信した信号を、カウンタ６００aおよびクロック信号取出器６００ｃの制御下で、メモリ５９から読み出すことにより変調している。
【００５２】
図７は、図６に示す受動的データ記憶装置１７の代わりに用いられる他の受動的データ記憶装置１７’の例を示している。この受動的データ記憶装置は、図６に示すものと違う制御器を用いている。この場合、かかる制御器は、リーダーマイクロプロセッサー５１によりそれに対し送信される、多くの異なるコード（あらかじめ定められた順序の１と０の形式で）を識別するよう構成されている制御エンジン３３０、を備えている。この例において、リーダーマイクロプロセッサー５１は、発振制御器４１を発信器４３の出力に、長期・短期間それぞれ割り込ませることにより、１と０を送信するよう構成されている。
【００５３】
本実施形態において、制御エンジン３３０用のクロック信号は、接点Ｊ１に接続された高速欠落パルス検出器の形式によって、第一信号取出器３５０により、発信器４３から供給される信号から取り出されるが、かかる制御エンジン３３０は、これも接点Ｊ１に接続された低速欠落パルス検出器の形式によって、第一信号取出器３５０の出力ならびに第二信号取出器３６０の出力を用いて、リーダー１７’により送信されたデータを抽出するよう構成される。
【００５４】
高速および低速欠落パルス検出器のタイムアウト時間は、高速欠落パルス検出器の出力が、特定のデータビットがバイナリ”０”あるいはバイナリ”１”であるかに応じて、２の幅の１つを有するよう設定されるが、低速欠落パルス検出器は、特定のデータビットがバイナリ”１”の場合にのみパルスを供給する。したがって、制御エンジン３３０は、第一ならびに第二信号取出器３５０、３６０の出力から受信したビットがバイナリ”０”であるかバイナリ”１”であるかを判断することができる。上で述べたように、制御エンジン３３０は、リーダーユニット１５から受信した命令コードに応じて、多数の異なるステートを入力するようプログラムされる。これらの異なるステートは、制御エンジンに、メモリ５９の異なる領域からデータを読み出させる。しかし、制御エンジン３３０のステートの少なくとも一つが、制御エンジンによって、メモリ５９の一部のデータを消去し、リーダーユニット１５により供給された新しいデータをメモリ５９内に書き込むことが可能である場合、メモリ５９は電気的に消去可能なメモリであってもよい。これにより、カバーが実質的に取り除かれ他の携帯電話に取り付けられた場合、カバー３が本体５に接続された後に、メモリ５９内に記憶されたデータによって与えられる機能へのアクセスを制限あるいは抑制するよう、例えば、リーダーユニット１５が、少なくともメモリ５９の内容の一部を書き換えることも可能であろう。他の可能性として、メモリ５９内に記憶されたデータにより与えられる追加機能を使用することについて、タイムリミットを設定するよう携帯電話プロセッサーをプログラムしてもよい。
【００５５】
上記実施形態において、制御エンジン３３０は、専用の不揮発性メモリを備えた状態機械(state machine)であったが、もちろん、かかる状態機械を、適切にプログラムしたアミクロプロセッサー、あるいは、専用の不揮発性メモリを備えたマイクロプロセッサー、に置き換えても良いことが理解される。また、リーダー１５から制御エンジン３３０に対する命令をやりとりする別の方法を用いることもできる。
【００５６】
上述のように、メモリ５９が書込可能である場合、より多くの電話番号および／又はデータを記憶するため、それを携帯電話のメモリ容量を拡張するために用いることもできる。受動的データ記憶装置１７は、履歴度数の記録(record of histrical degree)および携帯電話の使用頻度を提供するためにも用いることができる。制御エンジン３３０により行われる書込みならびに読み出し動作の詳細は、それぞれの内容が参照のためここに取り込まれる英国特許出願番号：００３１５１８．４又は対応ＰＣＴ出願番号ＧＢ０１／０５６９０に詳しい。携帯電話のＳＩＭカードに対し、リーダーユニットおよび携帯電話プロセッサーによってデータを書き込むようにしてもよい。
【００５７】
上述の実施形態においては、ユーザーインターフェースの実際の部品であるキーパッド又はキーボードが、携帯電話の本体に設けられ、カバー３は、単に、そこからキーパッドが突出する開口を有している。
【００５８】
図８は、図２と同様、本発明にかかる携帯電話の他の例の機能ブロック図を示している。かかる携帯電話は、ユーザー入力装置２５、この例においてはキーボード、がカバー３内に設けられるとともに、カバー３が携帯電話の本体５に取り付けられた場合に、ユーザー入力装置２５が、上述のように、リーダー発振器４３により供給される信号から電力を取り出す受動的データ記憶装置１７０とやりとりするよう構成されており、ならびに、ユーザー入力装置２５に対するユーザーの入力に応じ、上述の方法と同様の方法で発振信号を変調することにより、リーダーユニット１５とこの入力のやりとりを行う点で、図２に示すものと異なる。この場合、カバーは、受動的データ記憶装置と接続するセンサＳを選択的に設けるようにしてもよい。
【００５９】
図９は、受動的データ記憶装置１７０のブロック図を示している。この受動的データ記憶装置は、図７に示すものと同様であり、図７との関連で上述の構成を有する制御器６００’を有する（すなわち、当該装置は、状態機械、制御器、マイクロプロセッサー又は専用メモリを有するマイクロプロセッサー形式の、制御エンジンを含む）。受動的データ記憶装置１７０は、制御器６００’が、ユーザー入力装置２５との通信を可能とするため、それにキーパッド又はキーパッドスキャナを組み込む（制御器をプログラムすること、又は、専用のユーザー入力インターフェースを設けることにより）とともに、ユーザー入力装置２５のユーザーによって操作され、押下されたことによるキー操作に応じ、それがリーダーユニット１５との間で、携帯電話プロセッサ２３により識別されるコードデータ（あらかじめ定められた順序の１と０）のやりとりを行う点、で図７に示す装置と異なる。かかる受動的データ記憶装置１７０は、このデータを上述と同様の方法、すなわち、制御器６００’が、送信されるデータに基づき、変調器Ｍに発振信号を変調させること、によりやりとりする。
【００６０】
キーパッドを識別するためのコードとして、既知のいずれの方式を用いてもよく、例えば、ＡＳＣIIコードシステムを用いてもよい。データ記憶装置５９は、上述の方式の制御データ、すなわち、ソフトウエアデータ、および／又は、携帯電話の機能に影響を与える情報データを記憶する。この場合、受動的データ記憶装置１７０の制御器６００’は、カバーが携帯電話１の本体５に最初に取り付けられ、あるいは、最初に再接続され、次に、ユーザーによるキーパッドの動作が監視され、ユーザーによるキー操作入力をリーダーユニット１５に送ると、リーダーユニット１５から制御データをダウンロード、あるいは、リーダーユニット１５と、制御データのやりとり、を実行するようプログラムされる。
【００６１】
キーボードの全体をカバー３内に設けることは、携帯電話の本体５の内側のシェルをキーパッドに対応する穴だらけにする（電磁妨害遮蔽（ＥＭＩ）の効果を減じてしまう）必要がないこと、を意味する。携帯電話の製造者は、デイスプレイとの接続に必要とされるカップリング接続とは別に、連続する遮蔽レイヤーを使用することができる。
【００６２】
ユーザー入力装置２５全体をカバー３内に設けることは、携帯電話が、異なるアプリケーション用の様々なカバー内に適合する、例えば、携帯電話としての使用を促進する携帯電話カバーならびゲームのプレーを促進するゲーム用カバーとして使用される、ことを意味する。
【００６３】
図１０ならびに図１１は、２つのカバー３aならびに３bの前面の略図の例を示している。それぞれの場合において、デイスプレイウィンドウ１３は、同じサイズと外形寸法を有しているが、図１０において、デイスプレイは、縦長方向に見えるように配置されているのに対し、図１１においては、デイスプレイウィンドウ１３ならびにユーザー入力装置２５は、デイスプレイが横長方向に見えるよう配置される。
【００６４】
図１０に示したカバー３aは、図１に示すものと同様に配置されたキーパッド９０を有するキーボード２５、を備えている。
【００６５】
図１１に示すカバー３bにおいて、キーボード２５は、コンピュータゲームのコンソール上に設けられているのと同様のゲーム制御機能に対応する各ゲームキー入力９aに置き換えられる。
【００６６】
携帯電話の本体５からユーザー入力装置２５を分離することにより、携帯電話の本体の機能に影響を与えることなしに、キー９a、９０の位置、種類、数ならびにサイズを変更をすることが可能となる。ここで必要なのは、カバーが最初に取り付けられた場合、データ記憶装置５９からダウンロードした制御データから、携帯電話プロセッサーがユーザー入力装置２５の種類を識別可能であり、さらに、それに対し、受動的データ記憶装置１７から送られてきたキー操作データコードに応答可能であること、だけである。制御データは、系携帯電話プロセッサーが、デイスプレイの使用方向を決定するとともに、決定に基づきＬＣＤを制御すること、も可能にする。
【００６７】
このことは、図１０および１１から理解されるように、ユーザーが、本体５に搭載を希望する作業を実行するのに適したユーザー入力装置を備える、カバー５を取り付けることを可能にする。したがって、上述のように、ゲーム専用カバーを設けることができる。キーパッドを異なる配置にすることに加え、例えば、より良く、より早くゲームプレイを可能にするよう、より柔軟で反応性が高いキーパッドを設けるようキーパッド自体を異ならせるよう構成してもよい。また、ゲームプレーを円滑にするため、ゲームカバー内にシンプルなジョイステイックを設けるようにしてもよい。
【００６８】
電話およびゲームの用途の他、携帯電話は、例えば、文書処理および／又は表計算機能を有する携帯情報端末（ＰＤＡ）の役割も果たし、また、例えば、携帯電話形式のキーパッドに代え、十分なスペースがある場合には、文書処理に適合するカバーが、正式なＱＷＥＲＴＹ配列のキーボードを備えることができるよう、これらの機能のため異なるカバーを設けてもよい。  
他の可能性として、携帯電話又はＰＤＡの重さが検討材料であるか、限定された機能のみが要求される場合、例えば、ユーザーが休暇中である場合には、限られた数のキーパッドを有する小型で最小限のユーザー入力装置２５を設けるようにしてもよい。また、ユーザーが、年少の家族へ携帯電話の貸し出しを希望する場合には、当該家族が使用できる携帯電話の機能を制限する”使用制限のある(restricted use)”ユーザー入力装置を有するカバーを取り付けるようにしてもよい。
【００６９】
また、受動的データ記憶装置は、特定のキーに、例えば、特定のカバーについて、単語の高速入力に関する”マクロ”を記憶するようにしてもよい。これにより、例えば、サッカーのサポーターが用いるために設計されたカバーには、”ゴール”、”ネット””ばか野郎！(idiot)”等の単語と関連づけて設けるようにしてもよく、ビジネス用のカバーに、個々のメッセージの送信を容易にするよう”後で電話します”、”でお目に掛かりましょう”、”時”等の語句のマクロを記憶する受動的データ記憶装置を設けるようにしてもよい。それぞれの場合、ユーザー入力装置は、携帯電話の本体あるいは、マザーユニットから独立しているので、実際のキーパッドは、それにより、関連づけられているマクロを識別する目視可能な識別子を備えている。さらに、受動的データ記憶装置は、携帯電話を教育ツールとして使用することを容易にするスペルチェッカー、クロスワード、翻訳、辞書等を制御データの一部として含んでもよい。
【００７０】
理解されるように、ユーザー入力インターフェース装置は、携帯電話の本体５から独立しているので、より良いレベルにおけるタッチ又は圧力に敏感なタッチを可能にする専用のキーパッドを設けてもよく、所定の方法により異なる程度のタッチ又は圧力に応答するようプログラムされている受動的データ記憶装置の制御器６００’は、例えば、どの程度強くキーを押したのかに基づいて、例えば、上付（upper)、下付(lower)、ボールド、イタリック、等の異なるタイプのキャラクターを生成することを可能にする。かかるカバーは、キーパッドに対するユーザーの圧力、あるいは、円、四角形等の簡単な図形と関連づけられたいくつかのキーパッド、により決定された線の範囲又は厚みが存する異なる方向への描線を制御する異なるキーを用いてグラフィックを描くのを容易にするため、具体的に適用することもできる。受動的データ記憶装置ならびに携帯電話プロセッサーは、音符に関するデータをやりとりするようプログラムすることもでき、例えば、ユーザが、異なるレベルのタッチ圧力を用いて、音符やキー等を変更することによって作曲を可能にする専用のカバーを設けることもできる。かかるカバーは、障害を持つ人の使用を可能にするよう、具体的に適用することもできる。例えば、カバーは、を例えば、身体、視力、聴力、あるいは精神的な障害を有する人の使用のため具体的に適用することができる。
【００７１】
その例として：カバーは、特定の触覚を有するユーザー入力装置を設けることにより、視覚障害又は全盲者のため、具体的に適用することができ；カバーは、電話をテキストにするモード(telephone text mode)を可能にするスピーチ・テキスト・変換装置(speech-to-text facility)を設けることにより、聴覚障害又は聾唖者のため、具体的に適用することができ；簡易化されたカバーには、学習能力障害を有する人たちのためにシンボルおよびアイコンを付してもよく；さらに、身体障害を有する人たちを検知することにより、スイッチ一つを操作するだけで動作を可能にするカバーを設けるようにしてもよい。 さらに別の可能性として、カバーは、聴覚障害又は聾唖者用に用いられる”タイプトーク(Typetalk)”等の電話リレーサービスとリンクさせてもよい。
【００７２】
上述の例においては、別の機能を提供するためユーザー入力装置を備えた別のカバーが設けられている。他の実施形態として、受動的データ記憶装置は、グラフィックならびにゲームのプレイ用にその使用を促進するため、携帯電話が図１０に示す方向である場合、受動的データ記憶装置が携帯電話プロセッサーに縦長方向のデイスプレイを制御するよう命令するとともに、携帯電話が図１２に示す方向である場合、受動的データ記憶装置が携帯電話プロセッサーに横長方向のＬＣＤデイスプレイを制御するよう命令するよう、受動的データ記憶装置が、当該装置の制御器が携帯電話の方向を判断することによりカバーのそれを判断することを可能にする方向センサ（図４および８におけるセンサＳ）を備えてもよい。この場合、ユーザー入力装置２５は、それ自体、いずれの方向でも物理的に同じであるが、ユーザにより行われるキー操作に基づいて受動的データ記憶装置の制御器によって携帯電話の本体５に与えられた制御信号は、カバーの方向より変化する。他の可能性としては、方向センサを用いる代わりに、デイスプレイの方向が、縦方向から横長方向あるいはその逆に変更されるよう、カバーは、押下された場合、受動的データ記憶装置の制御器に、携帯電話プロセッサと通信を行うよう命令する、ある種のキーパッド等のユーザー入力装置、を備えてもよい。図４および図８に示す選択的なセンサＳは、方向センサである必要はないが、例えば、温度、湿度、音、におい、流動体、気体、水、磁界、無線周波数、赤外線、振動、化学物質、圧力等の一以上を感知する環境センサ、例えば、第一および第二カプラを介してモバイル通信装置の全体動作に影響を与えるリーダーユニットに対し、環境状況に関する信号を与える気圧、方向、位置、高さ、又は、光センサ、であってもよい。例えば、かかるセンサが光センサである場合、リーダーユニットに対し、モバイル通信装置のプロセッサーに自動的にバックライトを点灯させる弱い光信号を与えてもよく、前記センサが雑音レベルを検出するものである場合、センサにより検出された周囲の雑音に応じ、リーダーユニットは、携帯電話の音声ボリュームを上下させる。
【００７３】
上述の実施形態において、リーダーユニット１５は、図２に示すように、携帯電話の主要部品から分離している。しかし、リーダーユニット１５を、携帯電話の主要部品内に設けるようにしてもよい。例えば、リーダーユニットを他のハードウエアに適合させる必要がないよう、リーダーユニットをＳＩＭカード内に設けてもよい。
【００７４】
上述の例において、カバーに設けられたユーザー入力装置２５はキーボードあるいはキー入力装置であった。しかし、カバー３a又は３b内のウインドウ１３中に、ユーザーが、自身の指又はペン(stylus)を用いて、入力を行うことができるキャパシテイブアレイ等のほぼ透明のタッチセンシティブ・アレイを組み込むことも可能である。この場合、キーボードを省略し、ユーザーがペンあるいは自身の指を用いて起動可能なソフトウエアによるキーをデイスプレイに表示してもよい。次に、携帯電話プロセッサーは、カバーが縦長方向ではなく、横長方向に用いられた場合、異なるタイプのソフトキーを表示するようプログラムしてもよく、もちろん、異なるタイプのカバーには、異なるタイプのソフトキーを表示させてもよい。
【００７５】
上述の例において、ユーザー入力装置ならびに受動的データ記憶装置１７は、携帯電話用のカバー内に設けられていた。しかし、必ずしもそうである必要はない。かかる携帯電話は、従来のカバー又は図１に示すカバーを有していてもよいが、受動的データ記憶装置１７および受動的データ記憶装置を有する別のユーザーインターフェース装置がない場合、機械的結合メカニズムにより携帯電話と結合し、あるいは、第一カプラーＬＣ１と第二カプラーＬＣ２が誘導的に結合するよう十分に携帯電話の近傍に位置すると、つぎに、受動的データ記憶装置の制御器が、携帯電話と携帯電話プロセッサとで、内蔵されたユーザーインターフェースを無視しユーザ入力装置からユーザ入力命令を受けるという命令、をやりとりするため、発信信号を変調するようデータ記憶装置から制御データが読み出されるよう、図９に示す機能部品を設けてもよい。
【００７６】
これにより、ユーザーは、例えば、キーパッド、キーボード、タッチクスクリーン、ジョイステイック、指紋装置、ならびに、デジタルタブレット、の少なくとも一つをユーザーインターフェース装置として有する、別体の、軽量で、電源を内蔵しないユーザーインターフェース装置、を有することが可能となる。かかるユーザーインターフェース装置は、別体のユーザーインターフェースを携帯電話に近接し又はその内部に設けることにより、ユーザーが、電話の通常のユーザーインターフェースを超えて、かかるユーザーインターフェースを、例えばゲームソフトウエアのプレーを容易にするよう使用可能に、あるいは、ユーザーインターフェース装置がＱＷＥＲＴＹ配列のキーボードを備えることができる場合、ユーザーが、テキストのメッセージ又は記号を入力することを容易とする、ことができる。また、デイスプレイを、カバー内に設けてもよい。
【００７７】
上述の例において、受動的データ記憶装置により記憶されたデータは、携帯電話の機能又は能力に影響を与える。これに加え、又は、これに代え、 カバーが本体に正しく取り付けられた場合にのみ、携帯電話プロセッサーをスタンバイモードから動作モードに自動的に切り換えるようリーダープロセッサーをプログラムしてもよく、これにより、カバーを取り除くことで生じる携帯電話の誤操作が防止される。
【００７８】
携帯電話のいくつかの例、特に、ＰＤＡ等の装置を組み込んだものには、可動で、ヒンジ止めされたカバー又は蓋を備えている。この例において、カバーが開かれ、動作状態にある場合、受動的データ記憶装置がリーダーユニットと通信を行うためには、該受動的データ記憶装置は、カバー又は蓋が開いている場合に、リーダーユニットと近接するよう、カバー部内の適切な位置に存在しなくてはならないこと、が理解される。他の可能性として、あるいは、それに加え、受動的データ記憶装置は、カバー又は蓋が閉じられた場合、カプラーＬＣ１およびＬＣ２のみが結合するよう、カバー部の一部内、例えば、ヒンジから離れた箇所、に位置してもよく、リーダーユニットが、第一カプラーＬＣ１と第二カプラーＬＣ２がもはや結合していないことを示す信号を与えた場合、携帯電話プロセッサーが、スタンバイからフル動作モードへ移行するようプログラムしてもよい。上述の実施形態において、受動的データ記憶装置は、少なくとも、不揮発性メモリを含んでおり、プロセッサー機能(prosessor capabilities)を含むようにしてもよい。しかし、リーダープロセッサー５１を、単に、検出可能な部品あるいは特定のタイプを検出可能な部品が、カプラーＬＣ１と結合するか否かを決定するとともに、そのことを携帯電話に知らせるようプログラムしてもよい。したがって、検出可能な部品からリーダーユニット１５へデータをやりとりする必要のないこれらの場合、検出可能な部品は、その特性を変化するようリーダーカプラーに結合するカプラーのみから構成してもよい。例えば、上述の実施形態において、カプラー同士が誘導的に結合する場合、検出可能部品は、リーダーカプラーＬＣ１と誘導的に結合した場合に自身の共振周波数又はＱ計数に影響を与える、誘導カプラーＬＣ２のみから構成してもよい。他の可能性として、かかるカプラーは、カプラーＬＣ１と結合した場合に同じ結果をもたらすインダクタのみから構成してもよい。これらの場合、カバーは、例えば、タイプ毎に異なるインダクタンスを有してもよく、場合によっては、上述のように、携帯電話の機能、あるいは、動作特性に影響を与えるよう、キャパシタンス値は、リーダーユニット１５が、異なるカバーを識別可能とし、この情報を、携帯電話プロセッサーとやりとりすることを可能とする。
【００７９】
検出可能部品が誘導カプラーＬＣ２のみから構成される場合、インダクタンスは、リッツ線(litz wire)により与えてもよく、これによって結合の検出感度を向上させる。他の可能性として、あるいは、それに加え、誘導カプラーは、インダクタンスと直列に、ＧＭＩ（巨大磁気抵抗）効果を示す材料により形成された抵抗器、すなわち、比較的高い周波数の発振信号が素材に供給された場合に磁界により変化する表皮抵抗を有する金属、を含んでもよい。かかる抵抗素子は、例えば、コバルト、アモルファス合金により構成してもよい。他の可能性として、結合素子ＬＣ２は、ＧＭＩ線のループ又はリボンのみから構成してもよい。さらに、他の可能性として、かかるＧＭＩ線のループあるいはリボンと、誘導カプラーＬＣ２のインダクタンスを関連づけてもよい。この場合、別のキャパシタを設けても、設けなくてもよい。誘導カプラーがＧＭＩ材料を含む場合、発振器４３は、高周波数発振信号を供給し、リーダーユニットは、比較的低い周波数のパルス発振器をも含む。この場合、第一および第二誘導カプラーの結合は、低周波数パルス発振器により生成された磁界に起因して、インダクタンスＬ１を流れ、ＧＭＩ抵抗素子の抵抗値の変化に基づき変調されたその振幅を有する、キャリア信号の振幅を低下させる。ＧＭＩ材料を組み込んだ受動的検出可能部品の詳細は、参照のため本明細書中に取り込まれる、現在係属中の、本件出願人による２００１年１２月１０日出願の英国特許出願番号０１２９４９２．５中に説明されている。
【００８０】
上述の実施形態において、受動的データ記憶装置１７は、マスターユニット１５にデータを送信するため、振幅変調を用いている。しかし、参照のため本明細書中に取り込まれるＷＯ  ９７／２３０６０（ＰＣＴ／ＧＢ９６／０２９７５）に述べているように、振幅変調に代え周波数変調を用いてもよいことが理解される。
【００８１】
上述の実施形態において、第一および第二カップリングエレメントは、誘導的に結合するよう構成される。かかる第一および第二カップリングエレメントは、それらが近接することを必要とするが、互いが物理に接触することのない、他のどのような方式により結合するよう構成してもよい。例えば、第一および第二カップリングエレメントが、容量結合するよう構成してもよい。オーム結合は、第一および第二カップリングエレメント間で実際の電気接触が必要とされるので、カップリングエレメントを露出しなければならず、これによりカバー３の製造がより困難になるとともに、カバーの取り付けによりカップリングエレメントが磨滅する、という不利益を有するので、これらの非接触による構成は、オーム結合を超える効果を有する。また、容量およびオーム結合のいずれも、誘導結合の場合よりも、第一および第二カップリングエレメントを正確に配置するとともに、これらを近接して配置すること、を必要とする。他の方式による結合、例えば光学結合等、も用いることができる。
【００８２】
図１３は、図２、図３および図４を参照しつつさまざまな形で説明した携帯電話とは異なる、本発明を実現する携帯電話１'の他の実施形態の機能ブロック図を示している。図１３には、受動的データ記憶装置１７の様々な機能部品（制御器６００を除く）の電源取得器ＰＤに対する接続は、簡易化のため示されていない。
【００８３】
図１３に示した携帯電話１'において、プロセッサー２３ならびに携帯電話のメモリ２９は、これらの部品がリーダーユニット１５内に存在する必要がないよう、図３に示したリーダープロセッサー５１ならびにリーダーメモリー５３の機能を実行する。
【００８４】
加えて、受動的データ記憶装置１７による電源の取出し、ならびに、受動的データ記憶装置１７とリーダーユニット１５間のデータ通信は、リーダーユニット１５のリーダー送受信器ＲＴと受動的データ記憶装置の記憶装置送受信器ＳＴ間の電線による接続によって達成される。したがって、リーダー送受信器ＲＴは、図３に示す発振制御器４１、発振器４３およびカプラーＬＣ１の代わりとなり、記憶装置送受信器ＳＴは、図４に示す変調器ＭおよびカプラーＬＣ２の代わりとなる。リーダー送受信器ＲＴならびに記憶装置送受信器ＳＴは、従来のいずれの変調方法、例えば、振幅、周波数、パルスコード変調等によりデータをやりとりしてしてもよい。
【００８５】
図１３に示すように、受動的データ記憶装置１７は、ユーザー入力装置２５用のバックライトを提供するための発光装置をも含む。かかる発光装置２５０は、例えば、一以上の発光ダイオード（ＬＥＤ'ｓ）であってもよく、制御器６００は、ＬＥＤマトリクス駆動装置を含んでもよい。
【００８６】
また、受動的データ記憶装置１７は、上述のように、センサーＳを含んでもよい。かかるセンサーＳは、音に応じ、例えば、呼び出し音を見ることができるよう、例えば、制御器６００に、ＬＥＤのスイッチをオン又は発光させる、音センサーでもよい。他の可能性として、センサーＳは、外部キーパッドあるいはＰＤＡと直接の通信を可能とする光学入力装置であってもよい。
【００８７】
図２から図１２を参照して説明した上記実施形態において、リーダーユニット１５は、そこから受動的データ記憶装置１７が自身の電力を取り出すとともに、それを介し、受動的データ記憶装置１７とリーダーユニット１５間のデータ通信が行われる高周波数あるいは無線信号、を生成する発振器４３ならびに発振制御器４１を含んでいる。図１４は、図１３と同様、本発明を実現する携帯電話１''の他の例の機能ブロック図であって、リーダーユニットから発振器および発振制御器が省略されており、携帯電話により発せられた受動的データ記憶装置１７が無線信号から自身の電源を取り出すとともに、振幅変調信号を与えるために誘電カプラーＬＣの負荷を変更することにより、受動的データ記憶装置１７とリーダーユニット間のデータ通信が、図６および７を参照して上述の方法により実行されるよう、カプラーＬＣ１およびＬＣ２が、携帯電話のアンテナ７によって発せられた無線信号に同調されているもの、を示している。また、周波数あるいは位相変調を用いることもできるが、携帯電話のＧＳＭ信号を妨害しないので、振幅変調の方が好ましい。その他の点において、図１４に示す携帯電話１''は、図１３に示したものと同様である。図１４に示す携帯電話１''の動作において、自身のプロセッサー２３によってモバイル１４が起動すると、アンテナ７により発せられた無線周波数信号に対し誘導カプラーＬＣ２を同調させることにより、携帯電話により発せられた無線信号から電源取出器ＰＤが受動的データ記憶装置１７用の電源を得ることが可能となる。
【００８８】
受動的データ記憶装置１７は、電源を得ると、データ記憶装置５９に記憶されたデータを無線信号に変調することにより送信する。携帯電話の本体上のリーダーユニット１５の位置およびカバー３上の受動的データ記憶装置１７の位置は、カプラーＬＣ１がカプラーＬＣ２と非常に近く（８mm以内）であり、これにより、受動的データ記憶装置１７よって変調信号を取得する。これにより、携帯電話用無線信号キャリア信号が得られると、受動的データ記憶装置は、携帯電話１''のプロセッサー２３と自身の識別コードをやりとりすることが可能となる。この例においても、カプラーＬＣ２は、データ記憶装置によって供給された信号が、アンテナの信号により打ち消されないよう、アンテナにより供給される無線信号からカプラーＬＣ１を陰にし、あるいは、隠すため、アンテナ７とカプラーＬＣ１間に位置する。
【００８９】
電源が得られたら、リーダーユニット１５の信号プロセッサー４００からの識別コードを要求するよう携帯電話のプロセッサー２３をプログラムしてもよく、これにより、ハンドシェーク動作を行う必要がなくなる。
【００９０】
受動的データ記憶装置の制御器６００は、複数回、例えば３回、自身の識別コードを送信し、次に、携帯電話１'により送信される無線信号の変調を、該携帯電話が送信を中断し、該電話が次にその無線信号の送信を開始するまで中断するようプログラムしてもよい。
【００９１】
受動的データ記憶装置が変調した無線信号が、明瞭で(clean)、未変調となるよう、ＧＳＭ基準に基づいて周波数変調を開始する前に、明瞭で未変調の無線信号を、数ミリ秒の間、送るように携帯電話のプロセッサー２３をプログラムしてもよい。しかし、このことは、受動的データ記憶装置が、自身のデータをリーダーユニット１５に伝送するため振幅変調を用いた場合、必須ではない。
【００９２】
上述の実施形態においては、受動的データ記憶装置１７がそこから自身の電源を取り出す信号を変調することにより、受動的データ記憶装置１７とリーダーユニットとの間でデータがやりとりされていた。このことは、かならずしも必須ではなく、受動的データ記憶装置とリーダーユニット１５間で別のデータ通信チャネルを用いてもよい。図１５は、図１４と同様、本発明を実現する携帯電話１aの他の実施形態の機能ブロック図を示しており、図１４のように、受動的データ記憶装置１７は、携帯電話のアンテナ７により送信された無線信号から自身の電源を取り出す。しかし、この場合、受動的データ記憶装置１７とリーダーユニット１５間のデータのやりとりは、データ通信器ＤＣ１およびＤＣ２により行われる。
【００９３】
ある例において、制御器６００から信号プロセッサーにデータが直接供給されるよう、携帯電話のカバー３が本体に接続された場合、データ通信器ＤＣ１およびＤＣ２は、制御器６００との間に電気的な導電性パスを確立するだけであってもよい。
【００９４】
他の可能性として、データ通信器ＤＣ１およびＤＣ２は、データ記憶装置５９に記憶したデータを送信するため制御器６００により点滅する発光装置を有するデータ通信器ＤＣ２、ならびに、データ通信器ＤＣ２の発光装置により発せられた光を受けるため、フォトダイオード又はフォトトランジスタ等の受光装置を有するデータ通信器ＤＣ１と光学的な通信を行ってもよい。データ記憶装置５９にデータを書込み可能な場合、データ通信器ＤＣ１の発光装置からデータ通信器ＤＣ２の受光装置へデータが光学的に通信可能となるよう、データ通信器ＤＣ１およびＤＣ２が、それぞれ、光学送受信器を有してもよい。
【００９５】
他の可能性として、データ通信器ＤＣ１およびＤＣ２は、音響的に通信を行うよう構成してもよい。例えば、データ通信器ＤＣ１をマイクに、この場合、データ通信器ＤＣ２をスピーカーであって、受動的データ記憶装置からデータ通信器ＤＣ１へ与えられる音響信号であるデータ、好ましくは短いパルス、を有するもの、にしてもよい。この場合、携帯電話のマイク３３を、データ通信器ＤＣ１として用いることができる。他の可能性として、データカプラーＤＣ１およびＤＣ２間の音響結合は、圧電変換器を用いることにより実現してもよい。データ通信器ＤＣ１およびＤＣ２間の他のデータ通信方式に、例えば、機械的振動、静電および電磁信号、を用いてもよい。
【００９６】
図１４を参照して説明した実施形態においては、携帯電話１aが、自身の無線信号を送信を開始すると、受動的データ記憶装置１７は始動し、制御器６００は、データ通信器ＤＣ２により、データ記憶装置５９からのデータをリーダーユニットのデータ通信器ＤＣ１に送る。
【００９７】
図１３から図１５の各実施形態においては、携帯電話が動作し、制御器６００内に備えられたキーボードスキャナーが、ユーザー入力キーパッド又はキーボードからのデータを受信し、このデータをリーダーユニット１５に送信する間、受動的データ記憶装置は、動作したままである。しかし、図１３から１５に示した実施形態において、図２から図４にを参照して説明した実施形態にあるように、ユーザー入力装置（および関連すいずれの発光装置）が、携帯電話の本体の一部を構成するよう変更してもよい。ただし、キーパッド又はキーボードをカバー３内に組み込むことで、図８から図１２を参照して説明したように、特筆すべき効果を得ることができる。
【００９８】
受動的データ記憶装置は、その中に受動的データ記憶装置を組み込んだ特定のカバーに備えられた特定タイプのキーパッド又はキーボードと協働させるため、例えば、キーボードスキャナー・ソフトウエアを工場レベルで設定可能な電気的消去可能メモリを備えたデータ記憶装置５９を有する、特定用途向け集積回路（ＡＳＩＣ）を備えてもよい。
【００９９】
図２から１２までを参照して説明した実施形態は、携帯電話プロセッサー２３がリーダープロセッサー５１の機能を実行し、これにより、リーダーユニット１５が、リーダープロセッサー１およびリーダーメモリを含む必要がないよう、変更してもよい。逆に、図１３から１５の実施形態は、リーダープロセッサーおよびリーダーメモリを組み込んだ、リーダーユニットを備えてもよい。
【０１００】
図２から図１２を参照して説明した実施形態は、図１３、図１４又は図１５を参照して説明した上述の電力取り出しならびにデータ通信スキーム、を用いるよう変更してもよい。携帯電話のアンテナではなく、リーダーユニットを介して受動的データ記憶装置に電力が与えられた場合、例えば、データ通信器ＤＣ１およびＤＣ２を用いるようにしてもよい。
【０１０１】
他の可能性として、受動的データ記憶装置１７とリーダーユニット１５間の結合は、参照のため本明細書中に取り込まれる、本件出願人による、係属中で、公開がなされた国際出願番号ＷＯ００／３１６７６中に説明されている結合構成によってもよい。
【０１０２】
本発明は、モバイル通信ネットワークを介して通信を行うこと可能にする装置を有する、あるいは、有しない、パーソナルコンピュータ、ＰＤＡ（携帯情報端末）、ゲームコンソール等の演算装置に適用してもよい。 図１６は、ＳＩＭカードが、取り外し可能なＲＤを受け入れる取り外し可能デイスクドライブ３０、に置き換えられ、送受信機が、モデムである通信インターフェース３８に置き換えられている、点で、図２に示した携帯電話と異なる、ＰＤＡ（携帯情報端末）又はゲームコンソール１００等の演算装置の機能ブロック図を示している。この場合、制御データは、新しいソフトウエア、および／又は、ＰＤＡ上に与えられた、例えば、ゲームソフトウエア、文書処理、表計算および他のアプリケーションソフトウエアを含む、現存するソフトウエアを更新する形をとるソフトウエアデータ、を有してもよい。かかる制御データは、それに代え、又は、それに加え、例えば、プロセッサー２３の制御下において、スピーカー３１で再生され、あるいは、デイスプレイ３７で表示することのできる、音符ならびにイメージ等の情報データを含んでもよい。上述のように、制御データは、それに代え、リーダーユニット１５が、プロセッサー２３に、例えば、インターネット上、あるいは、通信インターフェースを用いる他のネットワーク上、の特定サイトにアクセスすることによって、アクセスデータによって表されるデータがどこで得られるかについて指示可能にするアクセスデータの形式であってもよい。かかるデータは、メモリ２９内に前もって記憶させてもよく、あるいは、通信インターフェースを介して使用可能にしてもよい。本演算装置のリーダーユニットならびにデータ記憶装置は、モバイル通信送受信器を、通信インターフェースに置き換えることができる、すなわち、モバイル通信送受信器の信号から電源を取り出すためのデータ記憶装置を要しないいずれの構成の、場合、上述のいずれの構成を有してもよい。
【０１０３】
ここで、交換可能な工具等の取り付け可能な機能部品を有する電気装置又は電気器具の実施形態について説明する。
【０１０４】
図１７は、家庭用電動工具６０の斜視図を示しており、図１８は、当該電気器具６０の機能ブロック図を示している。かかる電気器具は、電源プラグ(mains)又はバッテリーのいずれで動作してもよく、異なる仕事を実行するため工具を備え、又は、それらを取り付けるよう構成した、多くの異なる取り付け部品を有している。図１７に示すように、電動工具の本体６１は、例えば、ドリルビット又はドライバーヘッドを取り付けるためのチャック６４を有する、チャックアセンブリ６３形式の交換部品、を備えている。また、図１７は、チャックアセンブリ６３の代わりに電動工具の本体６２に取り付けることができる別の取り付け部品を示している。図示した例において、別の取り付け部品６５は、研磨シート６７を受けるためのサンダーフット(sander foot)６６を有するサンダーアセンブリである。
【０１０５】
この電動工具の場合、本体６２は、通常、成形されケーシングされた、外側プラスチック(outer plastics)を有する。本体６２と取り付け部品６３又は６５との間の結合は、電動工具のモーター（図１７には図示せず）の駆動軸を介して実行される。取り付け部品６３又は６５が本体に取り付けられた場合、取り付け部品のプラスチック結合襟部(plastics coupling collor)６３a又は６５aは、本体６２のケーシングの一部の上に取り付けられる。リーダーユニット１５は、電動工具の他の制御回路とともに本体のケーシングに内蔵されるが、受動的データ記憶装置１７は、通常、結合襟部６３a又は６５aに内に埋め込まれることにより、取り付けられる。
【０１０６】
リーダーユニット１５は、取り付け部品６３又は６５が本体６２に取り付けられた場合、受動的データ記憶装置１７がリーダーユニット１５により供給された信号から電力を取り出すのを可能にし、これにより始動した場合に、内部のメモリ内に記憶された制御データを送るため、受動的データ記憶装置１７のカプラーとリーダーユニット１５が結合するよう、受動的データ記憶装置１７がリーダーユニット１５の範囲内、図示したように近傍、に存するよう位置する。
【０１０７】
図１６ならびに図１７で見て取れるように、本体６１は、リーダーユニット１５に加え、電動工具１の全体動作を制御するマイクロプロセサー又はマイクロコントローラー２３等の制御器、を備えている。かかる制御器２３は、動作制御ソフトウエアデータ及び情報データを記憶した読み出し専用部、ならびに、書込可能部、を有する不揮発性メモリ２９、を備えてもよい。かかる制御器２３は、既知の方法で取り付け工具を駆動するモーター２７０と接続され、本技術分野で知られ、図１７に示されているように、通常、オン／オフスイッチ６８及びできれば速度制御器６９から構成されるユーザー入力装置７２からなるユーザーインターフェース２５にも接続される。かかるユーザーインターフェース２５は、一以上の表示ライト８０、および、制御器２３の制御下、特定の状況下で、ユーザーに対して聞き取り可能な警告を発することのできる、原始的なスピーカー(rudimentary loudspeaker)、を含むようにしてもよい。この例において、電動工具６０は、バッテリーにより動作し、本体内の制御回路５０は、バッテリー７３を備えている。簡易化のため、バッテリー７３と制御回路の様々な部品との接続は、制御器２３は別として、図２には示されていない。
【０１０８】
前に説明した実施形態のように、リーダーユニット１５は、線２３aを介して制御器２３に接続するとともに、第一カプラーすなわちカップリングエレメントＬＣ１にも接続されるリーダー２１、を備えている。かかる第一カップリングエレメントＬＣ１は、取り付け工具６３又は６５が器具本体に取り付けられた場合、受動的データ記憶装置１７に設けられた、類似する第二カップリングエレメントＬＣ２（図４参照）と結合するよう配置される。この実施形態において、リーダーユニット１５ならびに受動的データ記憶装置１７は、図３から図６を参照して説明した上述のものと同じである。
【０１０９】
取り付け部品が電気器具の本体に取り付けられると、補助ユニット１７のカップリングエレメントＬＣ１は、リーダーユニット１５のカップリングエレメントＬＣ２に近傍に位置し、図３から図６を参照して上述したように、補助ユニット１７とリーダーユニット１５を誘導的に結合させ、受動的データ記憶ユニット１７によりデータを出力させ、リーダーユニットによって読み取られる。
【０１１０】
メモリ５９から出力された制御データは、制御器２３（図２および３）に対し、メモリ５９からのデータ出力を表す、データ入力信号を供給するため、復調器４５、変調レベル検出器４７、しきい値検出器４９ならびにリーダーマイクロプロセッサ５１により、変調済み発振信号から抽出される。
【０１１１】
メモリ５９から出力され、リーダーマイクロプロセッサ５１により制御器２３にダウンロードされる制御データは、メモリ２９の書込可能部に記憶してもよい。この制御データは、ソフトウエアデータ、すなわち、制御器２３により実施又は実行可能なコンピュータコード、ならびに、制御器２３が使用できるようメモリ２９内に記憶された情報データ、の少なくとも一つを備えるようにしてもよい。ソフトウエアデータの一例として、取り付け部品が電気器具の供給者又は製造者により供給され、あるいは、そのライセンスの下で供給される場合には、受動的データ記憶装置からダウンロードされたデータが、電気器具ソフトウエアの更新又は変更を含んでもよい。
【０１１２】
かかる制御データは、例えば、自身のメモリに記憶されたデータと比較することにより、制御器２３が特定のタイプの取り付け工具を識別可能とする識別コードであってもよい。次に、制御器２３は、取り付け工具によりユーザーに使用可能な機能と能力、を制御する。
【０１１３】
その例として、制御器２３は、リーダープロセッサーにより受信した制御データに基づき、速度、駆動方向およびモーター２７０の動作時間の少なくとも一つ、を制御してもよい。それに代え、又は、それに加え、制御器２３は、リーダープロセッサーが制御データを受信せず、あるいは、誤った又は理解できない制御データを受信した場合、例えば、リーダープロセッサーが誤ったアクセス又は識別コードデータを受信した場合には、電気器具の動作を抑制してもよい。このことは、安全上の理由から、不適切な工具が取り付けられた場合に電気器具が確実に誤動作させないとともに、安全上ならびに省電力の両方の理由から、工具が取り付けられなかった場合、確実に電気器具を動作させない。誤った工具が取り付けられた場合、リーダープロセッサーは、制御器２３に、警告ライト８０を点灯させ、あるいは、スピーカー８１から警告を表すビープ音(warning beep)等の音響信号を発生させるようにしてもよい。
【０１１４】
上述のように、メモリ５９が書込可能な場合、修理履歴および取り付け部品の使用頻度を供給するため、受動的データ記憶装置を用いてもよい。また、制御エンジン３３０によって行われる書込および読み出し動作の詳細は、その全体が参照のために本明細書に取り込まれる英国特許出願番号００３１５１８．４、ならびに、対応ＰＣＴ出願番号ＧＢ０１／０５６９０に詳しい。
【０１１５】
ここでも、取り付け部品又はアクセサリーに設けられた受動的データ記憶装置は、リーダーユニット１５のリーダーマイクロプロセッサ５１（図３）が、取り付け部品、すなわち、正しい取り付け部品が取り付けられているかどうかの判断をし、誤った工具が検出された（すなわち、誤った制御データを受けた）場合に、取り付け部品の動作を抑制し、および／又は、警告ライト８０又はスピーカーを動作することによってユーザーに警告を発し、制御データを受信しない場合、動作を完全に抑制すること、を可能にするデータのみ記憶してもよい。これにより、取り付け部品を取り付けことなく電気器具の動作を抑制し、したがって、移動や電気器具の搬送が行われている途中に当該電気器具が誤って動作する可能性を低減する。それに代え、又は、それに加え、受動的データ記憶装置に記憶された制御データは、異なるタイプの取り付け部品（例えば、大人と子供、それぞれが使用する異なった取り付け部品）を識別してもよく、ユーザーにより、オン／オフスイッチ７２を用いてモーターの駆動速度および／又は、電気器具の起動後、モーターが動作する時間、を制御してもよい。子供に電気器具を用いるよう仕向けるため、例えば、音符を（スピーカーを介して）演奏する音声生成システムを有した電気器具を、子供の玩具と同様に比較的安い価格で、提供することも可能である。この場合、受動的データ記憶装置１７は、この音声生成システムに用いられる、異なる音声ファイルを記憶するようにしてもよい。受動的データ記憶装置のメモリが書込可能である場合、制御器２３は、取り付け部品の使用頻度と長さに関するデータを、以後のアクセスのため、例えば、上述の場合と同様であるが、抽出されたデータを、例えば、適切な通信構成（ＲＳ２３２インターフェース、赤外線リンク等）を介し、パーソナルコンピュータに供給するプログラム済みリーダーマイクロプロセッサーを有するリーダーユニットを用いることにより、受動的データ記憶装置に記憶させてもよい。
【０１１６】
上述の実施形態において、取り付け部品は、取り付け工具であった。他の可能性として、取り付け部品は、美的理由から交換されうる電気器具あるいは電気装置の筐体又はカバー部、を備えてもよい。例えば、本体は、機能および／又は外見的に異なる他の筐体部のための交換可能なクリップ留め筐体部、を有してもよい。したがって、例えば、電気器具の使用が楽しくなるよう、装飾的に異なるクリップ留め筐体部を、子供向けに設けるようにしてもよい。この場合、受動的データ記憶装置１７は、筐体又はカバー部内に位置してもよい。また、電気器具が、例えば、フードプロセッサーであって、モジュラー制御パネルを有する場合、かかる制御パネルのカバーは、機能、美的、あるいは、装飾的な理由から交換可能であってもよい。繰り返すが、この場合、受動的データ記憶装置１７は、前記交換可能なカバー内に収納してもよい。
【０１１７】
本発明は、例えば、テレビ、ビデオレコーダー、ＤＶＤプレーヤー、ステレオ、パーソナルコンピューター、ラップトップ、ゲームコンソール、電話等の他の種類の電気装置にも適用してもよい。これらの場合、電気装置の筐体の一部は、交換可能にしてもよく、例えば、テレビのカバーを交換可能としてもよく、あるいは、ユーザー入力制御パネルのカバーを交換可能にしてもよい。また、これらの場合、受動的データ記憶装置は、交換可能なカバー又は制御パネルに設けられ、カバー又はパネルのフロントが異なる場合、それに付随する御データも異なる。
【０１１８】
ある側面において、電気装置は、本体および取り付け部品を有する。かかる電気装置は、ユーザーが、電気装置、および、ユーザーによるユーザーインターフェースの操作に応じて電気装置の動作を制御する制御器、を操作可能にするユーザーインターフェースを有している。取り付け部品は、電気装置の動作又は機能に対する影響を制御する制御データを記憶するメモリを備えた、受動的データ記憶装置を有している。取り付け部品は、当該取り付け部品が本体に接続され、メモリから制御器へ制御データが供給された場合、本体から供給された信号から電力を取り出すよう動作可能である。かかる制御器は、データ記憶装置からの制御データに基づき、電気装置の動作又は機能に対する影響を制御可能とするよう動作可能である。取り付け部品は、電気装置によって動作する工具であってもよい。
【０１１９】
本発明は、電気装置のカバーあるいは筐体の一部又は全部が交換可能、あるいは、工具又はプラグインキーあるいは部品等の取り付け部品が、装置に接続又はその内部あるいは表面上に取り付け可能な場合に、マイクロプロセッサー又はマイクロ制御器を有するモバイル通信装置および他の電気器具ならびに電気装置に適用してもよい。
【０１２０】
一例として、本発明は、時計（例えば、ベゼルが交換可能な場合）、電子ゲーム、パズル、おもちゃ、データ記憶装置とリーダーユニット間の通信を、車両のエンジンによる干渉から遮蔽できる場合は、自動車、航空機、船舶および他の車両部品等の車体パネル又は部品等、取り付け可能なナイフ部を有する電気式包丁、交換可能な回転翼部および混合器具を有するフードプロセッサー、受動的データ記憶装置が製品に関するデータ、例えば、食品の場合、調理時間を記憶するスマートパッケージング、どのようなコーヒーがよいのかを示すデータを含むスマートカップ又はコーヒーメーカーの容器、取り付け可能フィルター及び／又は容器を有する水用フィルター、取り付け可能容器又は容器を有する飲料生成器、取り付け可能器具および／又は集じん袋、フィルター等を有する電気掃除機、異なる取り付け可能器具を有するつや出し器、等の家庭用品；例えば、取り付け可能器具のプラスチック部分中に受動的データ記憶装置が埋め込み可能な場合、取り付け可能部品がカミソリ又はシェーバーのヘッドであれば、電気シェーバー又はカミソリ、異なる取り付けヘッドが、異なったブラシ形状(cleaning profile)と関連する場合、例えば、電気歯ブラシ等の歯科衛生器具、取り付け可能ブラシ、拡散器等を有するヘアドライヤー、異なる取り付け器具を有する髪ばさみ(hair tongs)等のパーソナルケア製品、および、その他のパーソナルケア製品、取り付け部品が、露出時間を判断するデータを記憶したレンズである場合はカメラ等の家庭／オフィス電気装置、異なる取り付け器具、刃等、ピペットを調整するためのピペット用先端部、を有する医用電気機器、例えば、テレビ、ビデオレコーダー、ＤＶＤプレーヤー、ステレオ等の電気装置の場合には、カバー又は他のカバー部、それらいずれかのリモートコントロールに、取り付け部品が異なるクリップ留めカバーであり、制御データが異なる技術的特徴を与える場合、留守番電話、パーソナルコンピューター、ラップトップ、ゲームコンソール、電話機、電話のアクセサリー、自動販売機、つや出し器、留守番電話、時計のベゼル等、に適用可能である。また、取り付け部品は、バッテリーであってもよい。
【０１２１】
安全機能を確保するため、受動的データ記憶装置を、上述の電気装置の部品あるいはアクセサリー内に組み込んでもよい。例えば、電気湯沸かし器又はフードプロセッサーのいずれかの本体中にリーダーユニットを組み込み、本体およびフタの他方に受動的データ記憶装置を組み込む（通常、受動的データ記憶装置は、フタの中にある）とともに、受動的データ記憶装置の存在を検出しない限り、電気装置を動作させないよう、制御装置を構成してもよく、これにより、フタがない場合、あるいは、フタが完全に閉じていない場合に電気装置の動作を防止する安全保護装置が提供される。機械を含む他のタイプの電気装置又は電気器具用に、かかる安全装置又は”自動停止装置（deadman's handle)”を提供してもよい。例えば、電動工具、具体的には、チェーンソー等の電動工具は、リーダーユニットにより読み取り可能なデータ記憶装置が組み込まれた手袋を着用したユーザーによって当該器具が正しく保持されない限り当該器具の動作を防止する、リーダーユニットを組み込んでもよい。これにより、ユーザーが正しいグローブを着用するとともに、正しく当該器具を保持した場合には、電動工具等の手持ち式電気器具が誤動作することはない。
【０１２２】
本発明は、部品を電気装置に取り付ける必要はないが、通常、当該電気装置から数インチ、すなわち約１０cmの近傍にアクセサリーが組み込まれる場合、当該アクセサリーに適用することができる。例えば、かかるアクセサリーは、おもちゃ、販売促進用物品、販売促進用広告(promotional literature)、広告板又は同様の広告媒体、チケット、身分証明カード、電話カード、デビットカード、あるいは他のモバイル商取引物品(mobile commerce product)、製品の箱又は包装等のパッケージ、自動販売機、又は、リーダーユニットが設けられた電気装置（モバイル通信装置又は他の電気装置、あるいは、おもちゃ、コンピューター、ゲームコンソール、電話等の電気装置の場合）に影響を与えるデータを含むデータ記憶装置を備えたアクセス装置、であってもよい。例えば、用いられた洗剤のタイプに応じて洗浄周期を制御可能にするよう、洗剤（皿洗い機の洗剤）の箱に、洗浄装置（又は皿洗い機）内に組み込まれたリーダーにより読み取り可能なデータ記憶装置、を設けてもよく、識別装置が、リーダーユニットにより検出される声紋ＩＤ(voice print ID)を設けてもよく、タイヤバルブ(tyre valves)が、タイヤをどのくらい膨張させるのかを命令するデータを含んでもよく、患者ニーズ装置(patient needs device)が、例えば、薬剤師(drug dispenser)にデータを与えるデータ記憶装置、を設けてもよい。
【０１２３】
前記電気装置が通信設備を有する場合、例えば、取引がなされた商品あるいはサービスについての支払いをするため、他の装置との通信を行うようリーダーユニットによってデータが読み取られる。したがって、一例として、図１９にかなり概略的に示すように、製品あるいはチケット自動販売機１０００の形式のユニットが、それぞれが、図１９で破線で示された無線周波数の発信を可能にする自動販売機の筐体の外板又はコーテイングによって覆われた一以上の受動的データ記憶装置１７、を備えてもよい。各受動的データ記憶装置１７は、対応するチケットあるいは商品の概要を記憶した対応ボックス１００２に関連づけられている。図示したように、受動的データ記憶装置１は、かかるボックスの側面に位置する。しかし、かかる受動的データ記憶装置は、ボックスの範囲内にある(be within the boxes) 。
【０１２４】
ユーザー１００１が、自動販売機から商品あるいはチケットの購入を希望する場合、電源を取り出すとともに、携帯通信装置のリーダーユニットへデータを送信可能とするため、ユーザーは、自身の通信装置１を、希望する商品あるいはチケットに関連するデータ記憶装置１７の近くに持っていく。携帯通信装置のリーダーユニットは、読み出したデータを、データにより識別された通信ネットワーク上の位置にアクセスする携帯電話プロセッサーに供給する。例えば、サービスプロバイダーは、次に、ユーザーのアカウントに請求を行う(debit)とともに、自動販売機が、対応する希望のチケットあるいは商品を取り出し口に供給するための認証コードを、返送する。
【０１２５】
自動販売機に代えて、ユニット１００２は、広告板、あるいは、段ボール又は紙のポスター内に埋め込まれた受動的データ記憶装置を有する類似したもの、であってもよい。この場合、キーパッドおよびアウトレットは、もちろん存在せず、ユーザーは、携帯電話送受信器によって、選択された受動的データ記憶装置に対応するＷＡＰあるいはウッブサイト等の情報源に結合される。また、この場合、受動的データ記憶装置を、例えば、異なる商品あるいはサービスのイメージと関連づけてもよい。
【０１２６】
上述のように、リーダーユニットを有するモバイル通信装置は、互いに通信するようにしてもよい。
【０１２７】
無線通信システムが安価でレンジが短いので、他の装置との干渉又はクロストークの可能性を低くなる、という点で、無線又は同様の電磁信号による通信は、ブルーツース（商標）技術等の洗練された技術を超える効果を有する。通常、リーダーユニットは、最大約６インチの範囲を超えてデータ記憶装置又は他のリーダーユニットとの通信が可能となる。また、約２．４ギガヘルツの周波数、周波数ホッピングならびに、通常、８２チャネルというような多数チャネル、を使用するブルーツース（商標）とは逆に、無線通信は、通常、１３．５６メガヘルツの固定の単一周波数を用い、送信されるデータによって、例えば振幅変調された連続的な信号を提供する。さらに、ブルーツース（商標）とは異なり、かかる通信は、外部プロトコルの使用を必要としない。必要なのは、リーダーユニットが、データ記憶装置により与えられた復調済みキャリア信号を復調可能なことだけである。
【０１２８】
このようなリーダーユニットを組み込んだかかるモバイル通信装置を、支払い方法、アカウントの詳細を入手する等、商業的に様々な形で利用してもよい。
【０１２９】
電気装置がポータブル通信装置である場合の上述の変更例は、モバイル通信送受信機を積極的に必要とするものを除き、上述の他の電気装置又は電気器具のいずれにも適用可能である。
【図面の簡単な説明】
【０１３０】
【図１】図１は、本発明を実現する、携帯電話の本体から分離できる取り外し可能なカバーを有する、携帯電話の概略斜視図を示している。
【図２】図２は、カバーの取り外しの検出が可能なリーダーユニットを含む、本発明を実現する携帯電話の機能部品を示す機能ブロック図を示している。
【図３】図３は、図２に示すリーダーユニットの実施形態の機能ブロック図を示している。
【図４】図４は、受動的データ記憶装置の機能ブロック図の一例を示している。
【図５】図５は、リーダーユニットのより詳細な機能ブロック図の実施形態を示している。
【図６】図６は、受動的データ記憶装置のより詳細な機能ブロック図の一例を示している。
【図７】図７は、受動的データ記憶装置のより詳細な機能ブロック図の他の例を示している。
【図８】図８は、本発明を実現する携帯電話の機能ブロック図の他の例を示している。
【図９】図９は、図８に示す検出可能な制御装置として用いられる受動的データ記憶装置の機能ブロック図の一例を示している。
【図１０】図１０は、ユーザ入力装置の例をかなり概略的に示している。
【図１１】図１１は、ユーザ入力装置の例をかなり概略的に示している。
【図１２】図１２は、ユーザ入力装置の例をかなり概略的に示している。
【図１３】図１３は、本発明を実現するポータブル通信装置の他の例を示している。
【図１４】図１４は、本発明を実現するポータブル通信装置の他の例を示している。
【図１５】図１５は、本発明を実現するポータブル通信装置の他の例を示している。
【図１６】図１６は、個人用デジタル端末(personal digital assistant)等の演算装置の機能ブロック図を示している。
【図１７】図１７は、多数の交換ヘッドであって、そのうち二つが表され、一つが電動工具に取り付けられている交換ヘッド、を有する電動工具の形式による、かなり概略的に表した電気装置の例を示している。
【図１８】図１８は、交換されたカバーの検出を可能にするリーダーユニットを含む、本発明を実現する電気器具の機能部品の機能ブロック図を示している。
【図１９】図１９は、自動販売機システムの一例を示している。
【図１】
2008199603.tif 000003
【図２】
2008199603.tif 000004
【図３】
2008199603.tif 000005
【図４】
2008199603.tif 000006
【図５】
2008199603.tif 000007
【図６】
2008199603.tif 000008
【図７】
2008199603.tif 000009
【図８】
2008199603.tif 000010
【図９】
2008199603.tif 000011
【図１０】
2008199603.tif 000012
【図１１】
2008199603.tif 000013
【図１２】
2008199603.tif 000014
【図１３】
2008199603.tif 000015
【図１４】
2008199603.tif 000016
【図１５】
2008199603.tif 000017
【図１６】
2008199603.tif 000018
【図１７】
2008199603.tif 000019
【図１８】
2008199603.tif 000020
【図１９】
2008199603.tif 000021
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
モバイル電気通信ネットワークを介して通信を行う機能を有しない演算装置であって、当該演算装置は、処理手段およびデータ記憶手段を有しており、当該演算装置は、品物(article)が前記演算装置に取り付けられ、あるいは、その近傍に位置するようになった場合に、かかる品物からデータを読み出す読み出し手段も有しており、
当該読み出し手段は、キャリア信号を供給する信号供給手段を有し、
当該読み出し手段および前記品物は、前記品物が前記演算装置に取り付けられ、あるいは、その近傍に位置するようになった場合、第一誘導結合手段から第二誘導結合手段への前記キャリア信号の誘導結合を可能とする、第一および第二誘導結合手段をそれぞれ有し、
前記品物は、データを記録するメモリを有するデータ記憶装置、当該品物が前記演算装置に取り付けられ、あるいは、その近傍に位置するようになった場合に、前記第二誘導結合手段と結合するキャリア信号から電源を取り出す電源供給手段、前記電源取出手段による電源供給に応じて前記メモリからデータを読み出すデータ読み出し手段、および、前記メモリから読み出されたデータに基づいて前記キャリア信号を変調する変調手段を備え、
前記演算装置の前記読み出し手段は、前記キャリア信号の変調からデータを抽出するデータ抽出手段、および、前記演算手段の動作を実行するため前記抽出されたデータを前記処理手段に供給するデータ供給手段を有すること、
を特徴とする演算装置。
【請求項２】
携帯電話装置であって、
モバイル電気通信ネットワークを介して通信の送受信を可能にする電気通信無線トランシーバー、
前記携帯電話装置の動作を制御する制御手段、ならびに、
前記携帯電話装置が、データ貯蔵庫（data storer)を有するデータ記憶装置およびデータ記憶装置誘導結合手段を備えた品物の近傍に位置する場合、前記データ記憶装置の前記データ貯蔵庫により記憶されたデータに基づいて、前記データ記憶装置にその無線信号を変調させるよう、前記携帯電話装置の無線信号提供手段により提供される無線信号をデータ記憶装置誘導結合手段に誘導的に結合する、リーダーおよびリーダー誘導結合手段を有する読み出し手段を備え、
当該読み出し手段は、前記携帯電話装置の動作またはサービスを実行するため前記変調された無線信号から前記データを抽出するデータ抽出手段を有すること、
を特徴とする携帯電話装置。
【請求項３】
請求項２の携帯電話装置を備えた製品情報提供システムにおいて、前記データ記憶装置の近傍に位置する携帯電話装置からの無線信号の受信に応じ、異なる製品が対応するデータ記憶装置に関連づけられ、各記憶装置は、前記携帯電話装置に、そのデータ記憶装置に対応する前記製品に関する情報データ源と通信させること、
を特徴とする製品情報提供システム。
【請求項４】
本体ならびにアクセサリを備えた電子医療装置であって、
前記本体は、前記電子医療装置の動作を制御する制御手段およびキャリア信号を供給する信号供給手段を有しており、
前記本体および前記アクセサリは、前記第一結合手段から前記第二結合手段への前記キャリア信号の結合を可能にするため、前記アクセサリが前記本体に取り付けられ、あるいは、近傍に存する場合、互いに近接するよう配された第一および第二結合手段をそれぞれ有し、
前記アクセサリは、前記アクセサリに関する制御データを記憶するメモリを有するデータ記憶装置、前記第二誘導結合手段と結合するキャリア信号から電源を取り出す電源取出手段、当該電源取出手段による電源の取り出しに応じて前記メモリからデータを読み出す制御手段、および、前記メモリから読み出された制御データに基づいて前記キャリア信号を変調する変調手段を備え、
前記本体は、前記キャリア信号の前記変調から前記制御データを抽出するデータ抽出手段、および、前記アクセサリのための前記制御データに基づいて前記医療装置の動作を実行させるため、前記本体の前記制御手段に前記データを供給するデータ供給手段を有していること、
を特徴とする電子医療装置。
【請求項５】
アクセサリであって、
当該アクセサリのための制御データを記憶するメモリを有するデータ記憶装置、第一誘導結合手段と結合するキャリア信号から電源を取り出す電源取出手段、当該電源取出手段による電源の取り出しに応じて前記メモリからデータを読み出す制御手段、および、前記メモリから読み出された制御データに基づいて前記キャリア信号を変調する変調手段を備えており、前記キャリア信号の結合は、前記アクセサリが、前記キャリア信号を送信する第二結合手段を備えた別の医療装置の近傍に配され、あるいは、取り付けられる場合に生じるよう構成され、前記制御信号に基づいた前記キャリア信号の変調の結果、前記別の医療装置の動作が実行されること、
を特徴とするアクセサリ。
【請求項６】
請求項４に係る電子医療装置であって、患者のニーズを管理するための電子医療ケア装置として構成されたものにおいて、前記アクセサリは、患者が必要とする装置(needs device)であり、前記制御データは、患者が必要とするデータを備え、
前記データ抽出手段は、前記キャリア信号の変調から患者が必要とするデータを抽出するよう動作可能であり、ならびに
前記データ供給手段は、前記患者のニーズを管理するため前記装置の動作を実行させるために、前記本体の前記制御手段に前記患者が必要とするデータを供給するよう動作可能であること
を特徴とする電子医療装置。
【請求項７】
システムであって、
ネットワークを介して通信を行う通信手段、キャリア信号を供給する信号供給手段およびポータブル通信装置の動作を制御する制御手段を有するポータブル通信装置、ならびに、前記アイテムの識別または前記パッシブデータ記憶手段以外の機能に関する機能データを記憶するメモリ、前記アイテムが前記ポータブル通信装置の近傍に存する場合、前記キャリア信号から前記データ記憶装置のための電源を取り出す電源取出手段、および、前記電源取出手段による電源の取り出しに応じて前記メモリから読み出された機能データに基づき前記キャリア信号を変調する変調手段、を有するアイテムキャリイングパッシブデータ記憶手段を備えており、前記ポータブル通信装置は、変調されたキャリア信号から機能データを抽出するデータ抽出手段を有し、前記制御手段は、前記抽出された機能データの機能に基づき、実行される少なくとも一つの動作が可能となるよう動作すること、
を特徴とするシステム。
【請求項８】
自動販売システムであって、
少なくとも一の製品またはサービスに関するデータを記憶するメモリを有するパッシブデータ記憶手段を備え、ユーザに提供される製品またはサービスに関する少なくとも一の製品または少なくとも一のアイテムを許容する自動販売装置、ならびに
ネットワークを介して通信を行うための通信手段およびキャリア信号を供給するための信号供給手段を有するポータブル通信装置、を備えており、  
前記自動販売装置に備えられた前記パッシブデータ記憶手段は、前記ポータブル通信装置がパッシブデータ記憶手段の近傍に存する場合、前記キャリア信号から前記パッシブデータ記憶手段のための電源を取り出す電源取出手段、ならびに、前記電源取出手段による電力供給に応じて、前記メモリから読まれたデータに基づき前記キャリア信号を変調する変調手段を有し、
前記ポータブル通信装置は、変調されたキャリア信号からデータを抽出するデータ抽出手段、および、製品またはサービスに関する前記少なくとも一の製品または前記少なくとも一のアイテムを前記ユーザに提供可能とするよう動作可能な制御手段を有すること、
を特徴とする自動販売システム。
【請求項９】
支払いシステムであって、  
ネットワークを介して通信するための通信手段およびキャリア信号を供給するための信号供給手段を有するポータブル通信装置を備え、前記ポータブル通信装置がパッシブデータ記憶手段の近傍に存する場合、前記パッシブデータ記憶手段の電源取出手段により前記キャリア信号から電源を取り出させるとともに、前記パッシブデータ記憶手段のメモリから読み出されたデータに基づき前記パッシブデータ記憶手段に前記キャリア信号を変調させ、また、前記ポータブル通信装置は、変調されたキャリア信号からデータを抽出するデータ抽出手段、および、前記ポータブル通信装置により実行される少なくとも一の製品またはサービスについての支払いを可能にするため前記データ抽出手段によって抽出されたデータを用いるよう動作可能な制御手段を有すること、
を特徴とする支払いシステム。
【請求項１０】
第一本体部ならびに第二本体部を備えたポータブル通信装置であって、
前記第一本体部は、モバイル電気通信ネットワークを介して通信の送受信を可能にするトランシーバー、前記装置の動作を制御する第一制御手段、および、キャリア信号を供給する信号供給手段を有し、
前記第一本体部ならびに前記第二本体部は、第一無線結合手段から第二無線結合手段の前記キャリア信号の無線結合が可能となるよう互いに近接して配される第一無線結合手段および第二無線結合手段をそれぞれ有しており、
前記第二本体部は、データを記憶するメモリを有するデータ記憶装置、前記第二無線結合手段と結合したキャリア信号から電源を取り出す電源供給手段、当該電源供給手段による電源の取り出しに応じて前記メモリからデータを読み出す第二制御手段、および、前記メモリから読み出されたデータに基づいて前記キャリア信号を変調する変調手段を備えており、
前記第一本体部は、前記キャリア信号の前記変調からデータを抽出するデータ抽出手段、および、前記ポータブル通信装置の動作に関する機能を実行するため前記第一制御手段にデータを供給するデータ供給手段を有すること、
を特徴とするポータブル通信装置。
【手続補正２】
【補正対象書類名】明細書
【補正対象項目名】００１０
【補正方法】変更
【補正の内容】
【００１０】
ある側面において、本発明は、電話用のカバーであって、かかるカバーが、当該カバーが本体に取り付けられた場合、ユーザーにより電話の追加又はオプション機能にアクセスが行われたか否か、例えば、本体により記憶された追加のオプショナルの呼び出し音へのアクセスおよび／または、本体により記憶されたゲームプログラムあるいはゲームの変更へのアクセス、を電話により識別可能な識別データを記憶するデータ記憶装置を備えたもの、を提供する。
【手続補正３】
【補正対象書類名】明細書
【補正対象項目名】００２９
【補正方法】変更
【補正の内容】
【００２９】
図２には示されていないが、携帯電話１のバッテリーによって携帯電話１の部品およびリーダーユニット１５に電力が供給されるのは、明らかである。しかし、別の電源を設けてもよい。
【手続補正４】
【補正対象書類名】明細書
【補正対象項目名】００３０
【補正方法】変更
【補正の内容】
【００３０】
図３は、カップリングエレメントすなわちカプラーＬＣ１およびリーダー２１から構成されるリーダーユニットを示している。かかるリーダー２１は、通常は不揮発性であるが、例えばバッテリによるバックアップがされていれば揮発性でも可能なメモリ５３、を有するリーダーマイクロプロセッサすなわちマイクロプロセッサ５１、を備えている。リーダーマイクロプロセッサ５１の制御下で発振制御器４１により制御される発振器４３は、カップリングエレメントＬＣ１に対し発振器出力信号を供給する。リーダーマイクロプロセッサ５１は、発振器４３の動作を制御するため、発振制御器４１を制御するととともに、カバー３内のデータ記憶装置１７がそこから後述するクロック信号を取り出すことができる信号を供給するよう、発振器４３の出力を中断させるため、発振制御器４１を制御する。第一カップリングエレメントＬＣ１は、振幅変調された信号からの復号を可能にする復調器４５にも接続されている。かかる復調信号は、リーダーマイクロプロセッサ５１に対し、バイナリの１又はゼロの列を表すデジタル信号を提供する信号プロセッサ４００に供給される。受動的データ記憶装置から制御データを受信すると、リーダーマイクロプロセッサ５１は、携帯電話の機能性あるいは動作性能に影響を与えるよう、データ線２３a上でモバイル通信プロセッサ２３との通信を行う（図２参照）。
【手続補正５】
【補正対象書類名】明細書
【補正対象項目名】００３１
【補正方法】変更
【補正の内容】
【００３１】
図４は、検出可能部品１７を構成する、ある受動的データ記憶装置の簡易化したブロック図を示している。図示したように、かかる受動的データ記憶装置１７は、受動的データ記憶ユニット５４ならびにカプラーすなわちカップリングエレメントＬＣ２、を備えている。かかる受動的データ記憶ユニット５４は、第一カップリングエレメントＬＣ１と第二カップリングエレメントＬＣ２が結合することにより（図３に示される）リーダーユニット１５から受動的データ記憶装置１７へ結合する発振信号より受動的データ記憶ユニット用の電源を取り出す電源取出器ＰＤ、リーダーユニット１５に供給される制御データを記憶する不揮発性メモリの形式によるデータ記憶５９、ならびに、データ記憶５９からのデータの読み出しおよび受動的データ記憶装置１７と誘導的に結合する発振信号を変調する変調器Ｍに対するかかるデータの供給を制御する制御器６００、から構成される。状況に応じ、上記受動的データ記憶装置は、以下に述べる理由によりセンサＳを含むようにしてもよい。
【手続補正６】
【補正対象書類名】明細書
【補正対象項目名】００３２
【補正方法】変更
【補正の内容】
【００３２】
図５ならびに図６は、リーダーユニット１５の例、ならびに、受動的データ記憶装置１７の例、を表すブロック図をそれぞれ示している。この例において受動的データ記憶装置１７およびリーダーユニット１５は、誘導的なカップリングにより、キャパシタＣ１およびインダクタＬ１、ならびに、同Ｃ２および同Ｌ２が互いに並列接続を形成する、カプラＬＣ１およびＬＣ２が通信を行うよう構成される。短いレンジでは必要ないが、かかる誘導カプラーは、同調回路を形成する。また、選択的なセンサＳは、図６に示されていない。
【手続補正７】
【補正対象書類名】明細書
【補正対象項目名】００３３
【補正方法】変更
【補正の内容】
【００３３】
図５に示す例において、信号処理プロセッサ４００は、変調レベル検出器４７ならびにしきい値検出器４９から構成されているが、変調器４５は、ダイオードの単純な整流器である。上記変調レベル検出器４７は、リーダーマイクロプロセッサ５１により制御されるコンパレーター４７０および平均化回路４７１、を備えている。復調器４５からの出力は、コンパレーター４７０のプラス入力に供給される。復調器４５からの出力の平均値は、平均化回路４７１によりコンパレーター４７０のマイナスあるいは反転入力へ供給される。コンパレーター４７０の出力は、信号としきい値間の関係に基づき、リーダーマイクロプロセッサ５１に１又はゼロを供給するしきい値検出器４９に供給される。
【手続補正８】
【補正対象書類名】明細書
【補正対象項目名】００３５
【補正方法】変更
【補正の内容】
【００３５】
図６に示すように、受動的データ記憶ユニット５４の電源取出器ＰＤは、直列接続のダイオードＤ１およびＤ２、ならびに、カップリングエレメントＬＣ２とダイオードＤ１のアノードとダイオードＤ２のカソード間の接点Ｊ１間に接続されている、キャパシタＣ４、を備えている。第二ダイオードＤ２のアノードが第二電源レールＰ２（Ｖｓｓ）に接続されているのに対し、第一ダイオードＤ１のカソードは、第一電源レールＰ１（Ｖｄｄ）に接続されている。キャパシタＣ４ならびにダイオードＤ１およびＤ２は、実質的に、受信した交流電圧のピーク・トゥ・ピーク電圧、あるいは、発振信号から受動的データ記憶ユニット５４用の電力を取り出すためダイオードＤ１およびＤ２により用いられるカップリングエレメントＬＣ１およびＬＣ２により受動的データ記憶装置１７と誘導的に結合する発振信号を可能とする、電圧ダブラ(voltage doubler)として機能する。
【手続補正９】
【補正対象書類名】明細書
【補正対象項目名】００３６
【補正方法】変更
【補正の内容】
【００３６】
もちろん、簡易化のため、受動的データ記憶装置１７の残りの部品に対する電源接続は、図６に示されないことが、理解されよう。
【手続補正１０】
【補正対象書類名】明細書
【補正対象項目名】００３８
【補正方法】変更
【補正の内容】
【００３８】
この例において、制御器６００は、データ記憶５９から読み出されるデータを、カプラーＬＣ２のキャパシタと交わるように接続されるＦＥＴ  Ｔ１およびキャパシタＣ３からなる直列接続を有する変調器Ｍに直接与える。これにより、データ記憶５９の出力５９aは、ＦＥＴ  Ｔ１のゲート側に接続される。この例において、データ記憶５９は、シリアルの読み出し専用メモリ（ＲＯＭ）である。しかし、バッテリーによるバックアップを要しないものであれば、ＲＯＭ、ＥＥ−ＰＲＯＭ(電気的に書き換え可能なROM）、フラッシュメモリ、Ｆ−ＲＡＭ等、どのような形式の不揮発性メモリであってもよい。
【手続補正１１】
【補正対象書類名】明細書
【補正対象項目名】００３９
【補正方法】変更
【補正の内容】
【００３９】
図１に示されるように、交換可能なカバー３が、携帯電話１の本体５に取り付けられると、受動的データ記憶装置１７のカップリングエレメントＬＣ１は、リーダーユニット１５のカップリングエレメントＬＣ２に近傍に隣接して位置することにより、受動的データ記憶装置１７をリーダーユニット１５に誘導的に結合する。リーダー２１の発信器４３は、第一カップリングエレメントＬＣ１に供給され、第二カップリングエレメントＬＣ２を介して受動的データ記憶装置１７に誘導的に結合される、通常、１３．５６ＭＨｚ（メガヘルツ）の高周波数信号又はＲＦ（無線周波数）信号を生成する。したがって、キャパシタＣ４およびダイオードＤ１、Ｄ２により構成される電圧ダブラは、受動的データ記憶装置用に電力を取り出し、電力が与えられると、クロック信号取出器６００ｃは、中断された発信信号からクロック信号を取り出し、制御データは、カウンタ６００aの制御の下、データ記憶５９から出力線５９a上に出力される。
【手続補正１２】
【補正対象書類名】明細書
【補正対象項目名】００４０
【補正方法】変更
【補正の内容】
【００４０】
制御データが、データ記憶５９から出力線５９a上に出力されると、かかるデータはＦＥＴ  Ｔ１を切り換える。インダクタＬＣ２の両端の負荷は、ＦＥＴ  Ｔ１が導電性か非導電性のいずれかにより変化し、データ記憶５９から出力された制御信号に基づき、発振信号を変調する。
【手続補正１３】
【補正対象書類名】明細書
【補正対象項目名】００４１
【補正方法】変更
【補正の内容】
【００４１】
データ記憶５９から出力された制御データは、携帯電話プロセッサー２３（図２および図３）に対し、データ記憶５９から出力されたデータを表すデータ入力信号を提供するため、復調器４５、変調レベル検出器４７、しきい値検出器４９ならびにリーダーマイクロプロセッサ５１によって、変調された発振信号から抽出される。
【手続補正１４】
【補正対象書類名】明細書
【補正対象項目名】００４２
【補正方法】変更
【補正の内容】
【００４２】
データ記憶５９から出力され、リーダーマイクロプロセッサ５１（図５）によって携帯電話プロセッサー２３（図２）にダウンロードされたかかる制御データは、メモリ２９の書込可能部内に記憶される。この制御信号は、ソフトウエアデータ、すなわち、携帯電話プロセッサー２３により実施又は実行可能なコンピュータコード、携帯電話プロセッサー２３により使用可能であるようメモリ２９内に記憶された情報データ、の少なくとも一つを備えるようにしてもよい。ソフトウエアデータの一例として、カバーが携帯電話の供給者又は製造者により供給され、あるいは、そのライセンスの下で供給される場合には、受動的データ記憶装置からダウンロードされたデータが、いずれの携帯電話プロセッサーソフトウエアの更新又は変更を含んでもよい。これに加え、又は、これに代え、ソフトウエアデータは、携帯電話に設けられた現存するゲームシフトウエア又に対する更新又は変更、あるいは、新しいゲームソフトウエア、を含んでもよい。
【手続補正１５】
【補正対象書類名】明細書
【補正対象項目名】００４３
【補正方法】変更
【補正の内容】
【００４３】
情報データは、ソフトウエアデータに代え、あるいは、ソフトウエアの追加として与えられるようにしてもよい。データ記憶５９により記憶される情報データの例には、例えば、ダイヤル又は呼び出し音、電話番号、インターネットアドレスおよび／又はＷＡＰアドレスが含まれ、これらは、カバーの供給者が、新しい呼び出し音を供給すること、および／又は、自身、あるいは、他の会社が、その電話番号、インターネットアドレス又はＷＡＰアドレスを提供することで広告を行うことにより、購入者を魅了することが可能となる。制御データの他の例は、グラフィックデータ、音声データ、イメージデータ、ビデオデータ、生体的データ(biometric data)、携帯電話サービス、加入者サービス、ネットワークサービス、プロモーション、広告等を含んでもよい。
【手続補正１６】
【補正対象書類名】明細書
【補正対象項目名】００４９
【補正方法】変更
【補正の内容】
【００４９】
上述のように、受動的データ記憶装置に電力が与えられるので、第一および第二カップリングエレメントＬＣ１とＬＣ２が誘導的に結合した場合、いつでも、そこに記憶したデータをリーダーユニット１５に供給する。リーダーマイクロプロセッサーは、携帯電話プロセッサ２３に対し、連続的又は周期的に受信データを送ってもよい。しかし、受動的データ記憶装置１７に対して連続的に電力を供給すると、携帯電話のバッテリーを使い切ってしまう(present a drain)。したがって、受動的データ記憶装置１７が自身のデータを送信するため、周期的に動作するよう、所定間隔だけで、発振制御器４１に発振器４３の切り換えをさせるよう、リーダーマイクロプロセッサー５１をプログラムしてもよい。一般に、受動的データ記憶装置１７にとっては、交換カバー３が携帯電話の本体に結合された場合にのみ、自身のデータをリーダーユニット１５に送信することが好ましい。このことは、リーダーマイクロプロセッサー５１に、カバー３が存在するか否かを表す信号を供給する単純な結合システムを用いることにより達成される。例として、受動的データ記憶装置１７の密閉された筐体の一部には、カバー３が本体と接続する場合に、接地又はアースするため、リーダーマイクロプロセッサー５１のピン（図５の５１a)と結合する導電片（図１の１７a)を設けてもよく、リーダーマイクロプロセッサー５１は、かかるピンの状態を周期的にチェックしもよい。リーダーマイクロプロセッサー５１が、当該ピン５１ａの電圧が高くなったことを検出すると、カバー３が除去されたと判断し、当該ピンの電圧が再び低くなったことを検出すると、カバー３が再び本体５に取り付けられたか、あるいは、別のカバー３が取り付けられたと判断するので、受動的データ記憶装置１７に電力を与えるため、発信制御器４１を始動させ、発信器４３のスイッチを入れる。
【手続補正１７】
【補正対象書類名】明細書
【補正対象項目名】００５０
【補正方法】変更
【補正の内容】
【００５０】
上述の実施形態において、受動的データ記憶装置１７は、同期受動的データ記憶装置、すなわち、受動的データ記憶５４のクロック信号がリーダーマイクロプロセッサー５１により制御され同期される、ものである。しかし、受動的データ記憶装置１７は、非同期装置、すなわち、図６に示す接点Ｊ１に接続するクロック信号取出器６００ｃを、受動的データ記憶装置用に独立したクロック信号を生成するため同期受動的データ記憶装置により電力が取り出された場合に電力が与えられる、クロック信号生成器に置き換えたもの、であってもよい。また、図６では、データ記憶５９からのデータを数えるためカウンター６００aを使用している場合を示しているが、もちろん、データ記憶５９が単に自身のデータおよびアドレスを出力する場合、カウンター６００aは不要であることが、理解される。さらに、受動的データ記憶装置１７は、データ記憶５９からのデータの読み出しを制御し、アクセスされる当該データ記憶５９の異なる部分（ならびに異なったデータ）を使用可能とするとともに、リーダーマイクロプロセッサー５１からの命令に基づいて読み出しを行う、マイクロコントローラーを組み込んでもよい。かかる命令は、発振信号の長・短期間の割り込みを表す０および１により送信してもよい。
【手続補正１８】
【補正対象書類名】明細書
【補正対象項目名】００５１
【補正方法】変更
【補正の内容】
【００５１】
上述の実施形態において、受動的データ記憶装置は、リーダーから受信した信号を、カウンタ６００aおよびクロック信号取出器６００ｃの制御下で、データ記憶５９から読み出すことにより変調している。
【手続補正１９】
【補正対象書類名】明細書
【補正対象項目名】００５４
【補正方法】変更
【補正の内容】
【００５４】
高速および低速欠落パルス検出器のタイムアウト時間は、高速欠落パルス検出器の出力が、特定のデータビットがバイナリ”０”あるいはバイナリ”１”であるかに応じて、２の幅の１つを有するよう設定されるが、低速欠落パルス検出器は、特定のデータビットがバイナリ”１”の場合にのみパルスを供給する。したがって、制御エンジン３３０は、第一ならびに第二信号取出器３５０、３６０の出力から受信したビットがバイナリ”０”であるかバイナリ”１”であるかを判断することができる。上で述べたように、制御エンジン３３０は、リーダーユニット１５から受信した命令コードに応じて、多数の異なるステートを入力するようプログラムされる。これらの異なるステートは、制御エンジンに、データ記憶５９の異なる領域からデータを読み出させる。しかし、制御エンジン３３０のステートの少なくとも一つが、制御エンジンによって、データ記憶５９の一部のデータを消去し、リーダーユニット１５により供給された新しいデータをデータ記憶５９内に書き込むことが可能である場合、データ記憶５９は電気的に消去可能なメモリであってもよい。これにより、カバーが実質的に取り除かれ他の携帯電話に取り付けられた場合、カバー３が本体５に接続された後に、データ記憶５９内に記憶されたデータによって与えられる機能へのアクセスを制限あるいは抑制するよう、例えば、リーダーユニット１５が、少なくともデータ記憶５９の内容の一部を書き換えることも可能であろう。他の可能性として、データ記憶５９内に記憶されたデータにより与えられる追加機能を使用することについて、タイムリミットを設定するよう携帯電話プロセッサーをプログラムしてもよい。
【手続補正２０】
【補正対象書類名】明細書
【補正対象項目名】００５５
【補正方法】変更
【補正の内容】
【００５５】
上記実施形態において、制御エンジン３３０は、専用の不揮発性メモリを備えた状態機械(state machine)であったが、もちろん、かかる状態機械を、適切にプログラムしたマイクロプロセッサー、あるいは、専用の不揮発性メモリを備えたマイクロプロセッサー、に置き換えても良いことが理解される。また、リーダーユニット１５から制御エンジン３３０に対する命令をやりとりする別の方法を用いることもできる。
【手続補正２１】
【補正対象書類名】明細書
【補正対象項目名】００５６
【補正方法】変更
【補正の内容】
【００５６】
上述のように、データ記憶５９が書込可能である場合、より多くの電話番号および／又はデータを記憶するため、それを携帯電話のメモリ容量を拡張するために用いることもできる。受動的データ記憶装置１７は、履歴度数の記録(record of histrical degree)および携帯電話の使用頻度を提供するためにも用いることができる。制御エンジン３３０により行われる書込みならびに読み出し動作の詳細は、それぞれの内容が参照のためここに取り込まれる英国特許出願番号：００３１５１８．４又は対応ＰＣＴ出願番号ＧＢ０１／０５６９０に詳しい。携帯電話のＳＩＭカードに対し、リーダーユニットおよび携帯電話プロセッサーによってデータを書き込むようにしてもよい。
【手続補正２２】
【補正対象書類名】明細書
【補正対象項目名】００５９
【補正方法】変更
【補正の内容】
【００５９】
図９は、受動的データ記憶装置１７０のブロック図を示している。この受動的データ記憶装置は、図７に示すものと同様であり、図７との関連で上述の構成を有する制御器６００’を有する（すなわち、当該装置は、状態機械、制御器、マイクロプロセッサー又は専用メモリを有するマイクロプロセッサー形式の、制御エンジンを含む）。受動的データ記憶装置１７０は、制御器６００’が、図８に示されるユーザー入力装置２５との通信を可能とするため、それにキーパッド又はキーパッドスキャナを組み込む（制御器をプログラムすること、又は、専用のユーザー入力インターフェースを設けることにより）とともに、ユーザー入力装置２５のユーザーによって操作され、押下されたことによるキー操作に応じ、それが図８に示されるリーダーユニット１５との間で、携帯電話プロセッサ２３により識別されるコードデータ（あらかじめ定められた順序の１と０）のやりとりを行う点、で図７に示す装置と異なる。かかる受動的データ記憶装置１７０は、このデータを上述と同様の方法、すなわち、制御器６００’が、送信されるデータに基づき、変調器Ｍに、リーダーユニット１５により供給される発振信号を変調させること、によりやりとりする。
【手続補正２３】
【補正対象書類名】明細書
【補正対象項目名】００６０
【補正方法】変更
【補正の内容】
【００６０】
キーパッドを識別するためのコードとして、既知のいずれの方式を用いてもよく、例えば、ＡＳＣIIコードシステムを用いてもよい。データ記憶５９は、上述の方式の制御データ、すなわち、ソフトウエアデータ、および／又は、携帯電話の機能に影響を与える情報データを記憶する。この場合、受動的データ記憶装置１７０の制御器６００’は、カバーが携帯電話１の本体５に最初に取り付けられ、あるいは、最初に再接続され、次に、ユーザーによるキーパッドの動作が監視され、ユーザーによるキー操作入力をリーダーユニット１５に送ると、リーダーユニット１５に対し、受動的データ記憶装置１７０からの制御データをダウンロード、あるいは通信を実行するようプログラムされる。
【手続補正２４】
【補正対象書類名】明細書
【補正対象項目名】００６６
【補正方法】変更
【補正の内容】
【００６６】
携帯電話の本体５からユーザー入力装置２５を分離することにより、携帯電話の本体の機能に影響を与えることなしに、キー９a、９０の位置、種類、数ならびにサイズを変更をすることが可能となる。ここで必要なのは、カバーが最初に取り付けられた場合、受動的データ記憶装置１７０からダウンロードした制御データから、携帯電話プロセッサーがユーザー入力装置２５の種類を識別可能であり、さらに、それに対し、受動的データ記憶装置１７０から送られてきたキー操作データコードに応答可能であること、だけである。制御データは、携帯電話プロセッサーが、デイスプレイの使用方向を決定するとともに、決定に基づきＬＣＤを制御すること、も可能にする。
【手続補正２５】
【補正対象書類名】明細書
【補正対象項目名】００６７
【補正方法】変更
【補正の内容】
【００６７】
このことは、図１０および１１から理解されるように、ユーザーが、本体５に搭載を希望する作業を実行するのに適したユーザー入力装置を備える、カバー３を取り付けることを可能にする。したがって、上述のように、ゲーム専用カバーを設けることができる。キーパッドを異なる配置にすることに加え、例えば、より良く、より早くゲームプレイを可能にするよう、より柔軟で反応性が高いキーパッドを設けるようキーパッド自体を異ならせるよう構成してもよい。また、ゲームプレーを円滑にするため、ゲームカバー内にシンプルなジョイステイックを設けるようにしてもよい。
【手続補正２６】
【補正対象書類名】明細書
【補正対象項目名】００７０
【補正方法】変更
【補正の内容】
【００７０】
理解されるように、ユーザー入力インターフェース装置は、携帯電話の本体５から独立しているので、より良いレベルにおけるタッチ又は圧力に敏感なタッチを可能にする専用のキーパッドを設けてもよく、所定の方法により異なる程度のタッチ又は圧力に応答するようプログラムされている受動的データ記憶装置の制御器６００’は、例えば、どの程度強くキーを押したのかに基づいて、例えば、上付（upper)、下付(lower)、ボールド、イタリック、等の異なるタイプのキャラクターを生成することを可能にする。かかるカバーは、キーパッドに対するユーザーの圧力、あるいは、円、四角形等の簡単な図形と関連づけられたいくつかのキーパッド、により決定された線の範囲又は厚みが存する異なる方向への描線を制御する異なるキーを用いてグラフィックを描くのを容易にするため、具体的に適用することもできる。受動的データ記憶装置ならびに携帯電話プロセッサーは、音符に関するデータをやりとりするようプログラムすることもでき、例えば、ユーザが、異なるレベルのタッチ圧力を用いて、音符やキー等を変更することによって作曲を可能にする専用のカバーを設けることもできる。かかるカバーは、障害を持つ人の使用を可能にするよう、具体的に適用することもできる。例えば、カバーは、例えば、身体、視力、聴力、あるいは精神的な障害を有する人の使用のため具体的に適用することができる。
【手続補正２７】
【補正対象書類名】明細書
【補正対象項目名】００７５
【補正方法】変更
【補正の内容】
【００７５】
上述の例において、ユーザー入力装置ならびに受動的データ記憶装置１７は、携帯電話用のカバー内に設けられていた。しかし、必ずしもそうである必要はない。かかる携帯電話は、従来のカバー又は図１に示すカバーを有していてもよいが、受動的データ記憶装置および受動的データ記憶装置を有する別のユーザーインターフェース装置がない場合、機械的結合メカニズムにより携帯電話と結合し、あるいは、第一カプラーＬＣ１と第二カプラーＬＣ２が誘導的に結合するよう十分に携帯電話の近傍に位置すると、つぎに、受動的データ記憶装置の制御器が、携帯電話と携帯電話プロセッサとで、内蔵されたユーザーインターフェースを無視しユーザ入力装置からユーザ入力命令を受けるという命令、をやりとりするため、発信信号を変調するようデータ記憶装置から制御データが読み出されるよう、図９に示す機能部品を設けてもよい。
【手続補正２８】
【補正対象書類名】明細書
【補正対象項目名】００７６
【補正方法】変更
【補正の内容】
【００７６】
これにより、ユーザーは、例えば、キーパッド、キーボード、タッチクスクリーン、ジョイステイック、指紋装置、ならびに、デジタルタブレット、の少なくとも一つをユーザーインターフェース装置として有する、別体の、軽量で、電源を内蔵しないユーザーインターフェース装置、を有することが可能となる。かかるユーザーインターフェース装置は、別に設けたユーザーインターフェースを携帯電話に近接し又はその内部に設けることにより、ユーザーが、電話の通常のユーザーインターフェースを超えて、かかるユーザーインターフェースを、例えばゲームソフトウエアのプレーを容易にするよう使用可能に、あるいは、ユーザーインターフェース装置がＱＷＥＲＴＹ配列のキーボードを備えることができる場合、ユーザーが、テキストのメッセージ又は記号を入力することを容易とする、ことができる。また、デイスプレイを、カバー内に設けてもよい。
【手続補正２９】
【補正対象書類名】明細書
【補正対象項目名】００８０
【補正方法】変更
【補正の内容】
【００８０】
上述の実施形態において、受動的データ記憶装置１７は、リーダーユニット１５にデータを送信するため、振幅変調を用いている。しかし、参照のため本明細書中に取り込まれるＷＯ  ９７／２３０６０（ＰＣＴ／ＧＢ９６／０２９７５）に述べているように、振幅変調に代え周波数変調を用いてもよいことが理解される。
【手続補正３０】
【補正対象書類名】明細書
【補正対象項目名】００８１
【補正方法】変更
【補正の内容】
【００８１】
上述の実施形態において、第一および第二カップリングエレメントは、誘導的に結合するよう構成される。かかる第一および第二カップリングエレメントは、それらが近接することを必要とするが、互いが物理的に接触することのない、他のどのような方式により結合するよう構成してもよい。例えば、第一および第二カップリングエレメントが、容量結合するよう構成してもよい。オーム結合は、第一および第二カップリングエレメント間で実際の電気接触が必要とされるので、カップリングエレメントを露出しなければならず、これによりカバー３の製造がより困難になるとともに、カバーの取り付けによりカップリングエレメントが磨滅する、という不利益を有するので、これらの非接触による構成は、オーム結合を超える効果を有する。また、容量およびオーム結合のいずれも、誘導結合の場合よりも、第一および第二カップリングエレメントを正確に配置するとともに、これらを近接して配置すること、を必要とする。他の方式による結合、例えば光学結合等、も用いることができる。
【手続補正３１】
【補正対象書類名】明細書
【補正対象項目名】００８４
【補正方法】変更
【補正の内容】
【００８４】
加えて、受動的データ記憶装置１７による電源の取出し、ならびに、受動的データ記憶装置１７とリーダーユニット１５間のデータ通信は、リーダーユニット１５のリーダー送受信器ＲＴと受動的データ記憶装置の記憶装置送受信器ＳＴ間の電線による接続によって達成される。したがって、リーダー送受信器ＲＴは、図３に示す発振制御器４１、発振器４３およびカプラーＬＣ１の代わりとなり、記憶装置送受信器ＳＴは、図４に示す変調器ＭおよびカプラーＬＣ２の代わりとなる。リーダー送受信器ＲＴならびに記憶装置送受信器ＳＴは、従来のいずれの変調方法、例えば、振幅、周波数、パルスコード変調等によりデータを通信（やりとり）してもよい。
【手続補正３２】
【補正対象書類名】明細書
【補正対象項目名】００８５
【補正方法】変更
【補正の内容】
【００８５】
図１３に示すように、カバー３は、ユーザー入力装置２５用のバックライトを提供するための発光装置をも含む。かかる発光装置２５０は、例えば、一以上の発光ダイオード（ＬＥＤ'ｓ）であってもよく、制御器６００は、ＬＥＤマトリクス駆動装置を含んでもよい。
【手続補正３３】
【補正対象書類名】明細書
【補正対象項目名】００８６
【補正方法】変更
【補正の内容】
【００８６】
また、カバー３は、上述のように、センサーＳを含んでもよい。かかるセンサーＳは、音に応じ、例えば、呼び出し音を見ることができるよう、例えば、制御器６００に、ＬＥＤのスイッチをオン又は発光させる、音センサーでもよい。他の可能性として、センサーＳは、外部キーパッドあるいはＰＤＡと直接の通信を可能とする光学入力装置であってもよい。
【手続補正３４】
【補正対象書類名】明細書
【補正対象項目名】００８７
【補正方法】変更
【補正の内容】
【００８７】
図２から図１２を参照して説明した上記実施形態において、リーダーユニット１５は、カバー３によって運ばれるコンポーネンツがそこから電力を取り出すとともに、それを介し、受動的データ記憶装置１７とリーダーユニット１５間のデータ通信が行われる高周波数あるいは無線信号、を生成する発振器４３ならびに発振制御器４１を含んでいる。図１４は、図１３と同様、本発明を実現する携帯電話１''の他の例の機能ブロック図であって、リーダーユニットから発振器および発振制御器が省略されており、カバー３によって運ばれるコンポーネンツが、携帯電話により発せられた無線（ＲＦ）信号から電源を取り出すとともに、振幅変調信号を与えるために誘電カプラーＬＣの負荷を変更することにより、受動的データ記憶装置１７とリーダーユニット間のデータ通信が、図６および７を参照して上述の方法により実行されるよう、カプラーＬＣ１およびＬＣ２が、携帯電話のアンテナ７によって発せられた無線信号に同調されているもの、を示している。また、周波数あるいは位相変調を用いることもできるが、携帯電話のＧＳＭ信号を妨害しないので、振幅変調の方が好ましい。その他の点において、図１４に示す携帯電話１''は、図１３に示したものと同様である。図１４に示す携帯電話１''の動作において、自身のプロセッサー２３によってモバイル１４が起動すると、アンテナ７により発せられた無線周波数信号に対し誘導カプラーＬＣ２を同調させることにより、携帯電話により発せられた無線信号から電源取出器ＰＤが受動的データ記憶装置１７用の電源を得ることが可能となる。
【手続補正３５】
【補正対象書類名】明細書
【補正対象項目名】００８８
【補正方法】変更
【補正の内容】
【００８８】
受動的データ記憶装置１７は、電源を得ると、データ記憶５９に記憶されたデータを無線信号に変調することにより送信する。携帯電話の本体上のリーダーユニット１５の位置およびカバー３上の受動的データ記憶装置１７の位置は、カプラーＬＣ１がカプラーＬＣ２と非常に近く（８mm以内）であり、これにより、受動的データ記憶装置１７よって変調信号を取得する。これにより、携帯電話用無線信号キャリア信号が得られると、受動的データ記憶装置は、携帯電話１''のプロセッサー２３と自身の識別コードをやりとりすることが可能となる。この例においても、カプラーＬＣ２は、データ記憶装置によって供給された信号が、アンテナの信号により打ち消されないよう、アンテナにより供給される無線信号からカプラーＬＣ１を陰にし、あるいは、隠すため、アンテナ７とカプラーＬＣ１間に位置する。
【手続補正３６】
【補正対象書類名】明細書
【補正対象項目名】００９０
【補正方法】変更
【補正の内容】
【００９０】
受動的データ記憶装置の制御器６００は、複数回、例えば３回、自身の識別コードを送信し、次に、携帯電話１''により送信される無線信号の変調を、該携帯電話が送信を中断し、該電話が次にその無線信号の送信を開始するまで中断するようプログラムしてもよい。
【手続補正３７】
【補正対象書類名】明細書
【補正対象項目名】００９２
【補正方法】変更
【補正の内容】
【００９２】
上述の実施形態においては、受動的データ記憶装置１７がそこから自身の電源を取り出す信号を変調することにより、受動的データ記憶装置１７とリーダーユニットとの間でデータがやりとりされていた。このことは、かならずしも必須ではなく、受動的データ記憶装置とリーダーユニット１５間で別のデータ通信チャネルを用いてもよい。図１５は、図１４と同様、本発明を実現する携帯電話１aの他の実施形態の機能ブロック図を示しており、図１４のように、受動的データ記憶装置１７は、携帯電話のアンテナ７ａにより送信された無線信号から自身の電源を取り出す。しかし、この場合、受動的データ記憶装置１７とリーダーユニット１５間のデータのやりとりは、データ通信器ＤＣ１およびＤＣ２により行われる。
【手続補正３８】
【補正対象書類名】明細書
【補正対象項目名】００９４
【補正方法】変更
【補正の内容】
【００９４】
他の可能性として、データ通信器ＤＣ１およびＤＣ２は、データ記憶５９に記憶したデータを送信するため制御器６００により点滅する発光装置を有するデータ通信器ＤＣ２、ならびに、データ通信器ＤＣ２の発光装置により発せられた光を受けるため、フォトダイオード又はフォトトランジスタ等の受光装置を有するデータ通信器ＤＣ１と光学的な通信を行ってもよい。データ記憶５９にデータを書込み可能な場合、データ通信器ＤＣ１の発光装置からデータ通信器ＤＣ２の受光装置へデータが光学的に通信可能となるよう、データ通信器ＤＣ１およびＤＣ２が、それぞれ、光学送受信器を有してもよい。
【手続補正３９】
【補正対象書類名】明細書
【補正対象項目名】００９６
【補正方法】変更
【補正の内容】
【００９６】
図１４を参照して説明した実施形態においては、携帯電話１aが、自身の無線信号を送信を開始すると、受動的データ記憶装置１７は始動し、制御器６００は、データ通信器ＤＣ２により、データ記憶５９からのデータをリーダーユニットのデータ通信器ＤＣ１に送る。
【手続補正４０】
【補正対象書類名】明細書
【補正対象項目名】００９７
【補正方法】変更
【補正の内容】
【００９７】
図１３から図１５の各実施形態においては、携帯電話が動作し、制御器６００内に備えられたキーボードスキャナーが、ユーザー入力キーパッド又はキーボードからのデータを受信し、このデータをリーダーユニット１５に送信する間、受動的データ記憶装置は、動作したままである。しかし、図１３から１５に示した実施形態において、図２から図４を参照して説明した実施形態にあるように、ユーザー入力装置（および関連するいずれかの発光装置）が、携帯電話の本体の一部を構成するよう変更してもよい。ただし、キーパッド又はキーボードをカバー３内に組み込むことで、図８から図１２を参照して説明したように、特筆すべき効果を得ることができる。
【手続補正４１】
【補正対象書類名】明細書
【補正対象項目名】００９８
【補正方法】変更
【補正の内容】
【００９８】
受動的データ記憶装置は、その中に受動的データ記憶装置を組み込んだ特定のカバーに備えられた特定タイプのキーパッド又はキーボードと協働させるため、例えば、キーボードスキャナー・ソフトウエアを工場レベルで設定可能な電気的消去可能メモリを備えたデータ記憶５９を有する、特定用途向け集積回路（ＡＳＩＣ）を備えてもよい。
【手続補正４２】
【補正対象書類名】明細書
【補正対象項目名】００９９
【補正方法】変更
【補正の内容】
【００９９】
図２から１２までを参照して説明した実施形態は、携帯電話プロセッサー２３がリーダープロセッサー５１の機能を実行し、これにより、リーダーユニット１５が、リーダープロセッサー５１およびリーダーメモリを含む必要がないよう、変更してもよい。逆に、図１３から１５の実施形態は、リーダープロセッサーおよびリーダーメモリを組み込んだ、リーダーユニットを備えてもよい。
【手続補正４３】
【補正対象書類名】明細書
【補正対象項目名】０１０４
【補正方法】変更
【補正の内容】
【０１０４】
図１７は、家庭用電動工具６０の斜視図を示しており、図１８は、当該電気器具６０の機能ブロック図を示している。かかる電気器具は、電源プラグ(mains)又はバッテリーのいずれで動作してもよく、異なる仕事を実行するため工具を備え、又は、それらを取り付けるよう構成した、多くの異なる取り付け部品を有している。図１７に示すように、電動工具の本体６１は、例えば、ドリルビット又はドライバーヘッドを取り付けるためのチャック６４を有する、チャックアセンブリ６３形式の交換部品、を備えている。また、図１７は、チャックアセンブリ６３の代わりに電動工具の本体６１に取り付けることができる別の取り付け部品を示している。図示した例において、別の取り付け部品６５は、研磨シート６７を受けるためのサンダーフット(sander foot)６６を有するサンダーアセンブリである。
【手続補正４４】
【補正対象書類名】明細書
【補正対象項目名】０１０５
【補正方法】変更
【補正の内容】
【０１０５】
この電動工具の場合、本体６１は、通常、成形されケーシングされた、外側プラスチック(outer plastics)を有する。本体６１と取り付け部品６３又は６５との間の結合は、電動工具のモーター（図１７には図示せず）の駆動軸を介して実行される。取り付け部品６３又は６５が本体に取り付けられた場合、取り付け部品のプラスチック結合襟部(plastics coupling collor)６３a又は６５aは、本体６１のケーシングの一部の上に取り付けられる。リーダーユニット１５は、電動工具の他の制御回路とともに本体のケーシングに内蔵されるが、受動的データ記憶装置１７は、通常、結合襟部６３a又は６５aに内に埋め込まれることにより、取り付けられる。
【手続補正４５】
【補正対象書類名】明細書
【補正対象項目名】０１０６
【補正方法】変更
【補正の内容】
【０１０６】
リーダーユニット１５は、取り付け部品６３又は６５が本体６１に取り付けられた場合、受動的データ記憶装置１７がリーダーユニット１５により供給された信号から電力を取り出すのを可能にし、これにより始動した場合に、内部のメモリ内に記憶された制御データを送るため、受動的データ記憶装置１７のカプラーとリーダーユニット１５が結合するよう、受動的データ記憶装置１７がリーダーユニット１５の範囲内、図示したように近傍、に存するよう位置する。
【手続補正４６】
【補正対象書類名】明細書
【補正対象項目名】０１０７
【補正方法】変更
【補正の内容】
【０１０７】
図１７ならびに図１８で見て取れるように、本体６１は、リーダーユニット１５に加え、電動工具６０の全体動作を制御するマイクロプロセサー又はマイクロコントローラー２３等の制御器、を備えている。かかる制御器２３は、動作制御ソフトウエアデータ及び情報データを記憶した読み出し専用部、ならびに、書込可能部、を有する不揮発性メモリ２９、を備えてもよい。かかる制御器２３は、既知の方法で取り付け工具を駆動するモーター２７０と接続され、本技術分野で知られ、図１７に示されているように、通常、オン／オフスイッチ６８及びできれば速度制御器６９から構成されるユーザー入力装置７２からなるユーザーインターフェース２５にも接続される。かかるユーザーインターフェース２５は、一以上の表示ライト８０、および、制御器２３の制御下、特定の状況下で、ユーザーに対して聞き取り可能な警告を発することのできる、原始的なスピーカー(rudimentary loudspeaker)、を含むようにしてもよい。この例において、電動工具６０は、バッテリーにより動作し、本体内の制御回路５０は、バッテリー７３を備えている。簡易化のため、バッテリー７３と制御回路の様々な部品との接続は、制御器２３は別として、図１８には示されていない。
【手続補正４７】
【補正対象書類名】明細書
【補正対象項目名】０１０９
【補正方法】変更
【補正の内容】
【０１０９】
取り付け部品が電気器具の本体に取り付けられると、受動的データ記憶装置１７のカップリングエレメントＬＣ１は、リーダーユニット１５のカップリングエレメントＬＣ２に近傍に位置し、図３から図６を参照して上述したように、受動的データ記憶装置１７とリーダーユニット１５を誘導的に結合させ、受動的データ記憶装置１７によりデータを出力させ、リーダーユニットによって読み取られる。
【手続補正４８】
【補正対象書類名】明細書
【補正対象項目名】０１１０
【補正方法】変更
【補正の内容】
【０１１０】
データ記憶５９から出力された制御データは、制御器２３に対し、データ記憶５９からのデータ出力を表す、データ入力信号を供給するため、復調器４５、変調レベル検出器４７、しきい値検出器４９ならびにリーダーマイクロプロセッサ５１により、変調済み発振信号から抽出される。
【手続補正４９】
【補正対象書類名】明細書
【補正対象項目名】０１１１
【補正方法】変更
【補正の内容】
【０１１１】
データ記憶５９から出力され、リーダーマイクロプロセッサ５１により制御器２３にダウンロードされる制御データは、メモリ２９の書込可能部に記憶してもよい。この制御データは、ソフトウエアデータ、すなわち、制御器２３により実施又は実行可能なコンピュータコード、ならびに、制御器２３が使用できるようメモリ２９内に記憶された情報データ、の少なくとも一つを備えるようにしてもよい。ソフトウエアデータの一例として、取り付け部品が電気器具の供給者又は製造者により供給され、あるいは、そのライセンスの下で供給される場合には、受動的データ記憶装置からダウンロードされたデータが、電気器具ソフトウエアの更新又は変更を含んでもよい。
【手続補正５０】
【補正対象書類名】明細書
【補正対象項目名】０１１４
【補正方法】変更
【補正の内容】
【０１１４】
上述のように、データ記憶５９が書込可能な場合、修理履歴および取り付け部品の使用頻度を供給するため、受動的データ記憶装置を用いてもよい。また、制御エンジン３３０によって行われる書込および読み出し動作の詳細は、その全体が参照のために本明細書に取り込まれる英国特許出願番号００３１５１８．４、ならびに、対応ＰＣＴ出願番号ＧＢ０１／０５６９０に詳しい。
【手続補正５１】
【補正対象書類名】明細書
【補正対象項目名】０１１９
【補正方法】変更
【補正の内容】
【０１１９】
本発明は、装置のカバーあるいは筐体の一部又は全部が交換可能、あるいは、工具又はプラグインキーあるいは部品等の取り付け部品が、装置に接続又はその内部あるいは表面上に取り付け可能な場合に、マイクロプロセッサー又はマイクロ制御器を有するモバイル通信装置および他の電気器具ならびに電気装置に適用してもよい。
【手続補正５２】
【補正対象書類名】明細書
【補正対象項目名】０１２２
【補正方法】変更
【補正の内容】
【０１２２】
本発明は、部品を装置に取り付ける必要はないが、通常、当該装置から数インチ、すなわち約１０cmの近傍にアクセサリーが組み込まれる場合、当該アクセサリーに適用することができる。例えば、かかるアクセサリーは、おもちゃ、販売促進用物品、販売促進用広告(promotional literature)、広告板又は同様の広告媒体、チケット、身分証明カード、電話カード、デビットカード、あるいは他のモバイル商取引物品(mobile commerce product)、製品の箱又は包装等のパッケージ、自動販売機、又は、リーダーユニットが設けられた電気装置（モバイル通信装置又は他の電気装置、あるいは、おもちゃ、コンピューター、ゲームコンソール、電話等の電気装置の場合）に影響を与えるデータを含むデータ記憶装置を備えたアクセス装置、であってもよい。例えば、用いられた洗剤のタイプに応じて洗浄周期を制御可能にするよう、洗剤（皿洗い機の洗剤）の箱に、洗浄装置（又は皿洗い機）内に組み込まれたリーダーにより読み取り可能なデータ記憶装置、を設けてもよく、識別装置が、リーダーユニットにより検出される声紋ＩＤ(voice print ID)を設けてもよく、タイヤバルブ(tyre valves)が、タイヤをどのくらい膨張させるのかを命令するデータを含んでもよく、患者ニーズ装置(patient needs device)が、例えば、薬剤師(drug dispenser)にデータを与えるデータ記憶装置、を設けてもよい。
【手続補正５３】
【補正対象書類名】明細書
【補正対象項目名】０１２５
【補正方法】変更
【補正の内容】
【０１２５】
自動販売機に代えて、ユニット１０００は、広告板、あるいは、段ボール又は紙のポスター内に埋め込まれた受動的データ記憶装置を有する類似したもの、であってもよい。この場合、キーパッドおよびアウトレットは、もちろん存在せず、ユーザーは、携帯電話送受信器によって、選択された受動的データ記憶装置に対応するＷＡＰあるいはウエッブサイト等の情報源に結合される。また、この場合、受動的データ記憶装置を、例えば、異なる商品あるいはサービスのイメージと関連づけてもよい。
【手続補正５４】
【補正対象書類名】明細書
【補正対象項目名】０１２７
【補正方法】変更
【補正の内容】
【０１２７】
無線通信システムが安価でレンジが短いので、他の装置との干渉又はクロストークの可能性が低くなる、という点で、無線又は同様の電磁信号による通信は、ブルーツース（商標）技術等の洗練された技術を超える効果を有する。通常、リーダーユニットは、最大約６インチの範囲を超えてデータ記憶装置又は他のリーダーユニットとの通信が可能となる。また、約２．４ギガヘルツの周波数、周波数ホッピングならびに、通常、８２チャネルというような多数チャネル、を使用するブルーツース（商標）とは逆に、無線通信は、通常、１３．５６メガヘルツの固定の単一周波数を用い、送信されるデータによって、例えば振幅変調された連続的な信号を提供する。さらに、ブルーツース（商標）とは異なり、かかる通信は、外部プロトコルの使用を必要としない。必要なのは、リーダーユニットが、データ記憶装置により与えられた変調されたキャリア信号を復調可能なことだけである。
【手続補正５５】
【補正対象書類名】図面
【補正対象項目名】図２
【補正方法】変更
【補正の内容】
【図２】
2008199603.tif 000022
【手続補正５６】
【補正対象書類名】図面
【補正対象項目名】図４
【補正方法】変更
【補正の内容】
【図４】
2008199603.tif 000023
【手続補正５７】
【補正対象書類名】図面
【補正対象項目名】図５
【補正方法】変更
【補正の内容】
【図５】
2008199603.tif 000024
【手続補正５８】
【補正対象書類名】図面
【補正対象項目名】図６
【補正方法】変更
【補正の内容】
【図６】
2008199603.tif 000025
【手続補正５９】
【補正対象書類名】図面
【補正対象項目名】図７
【補正方法】変更
【補正の内容】
【図７】
2008199603.tif 000026
【手続補正６０】
【補正対象書類名】図面
【補正対象項目名】図８
【補正方法】変更
【補正の内容】
【図８】
2008199603.tif 000027
【手続補正６１】
【補正対象書類名】図面
【補正対象項目名】図９
【補正方法】変更
【補正の内容】
【図９】
2008199603.tif 000028
【手続補正６２】
【補正対象書類名】図面
【補正対象項目名】図１０
【補正方法】変更
【補正の内容】
【図１０】
2008199603.tif 000029
【手続補正６３】
【補正対象書類名】図面
【補正対象項目名】図１１
【補正方法】変更
【補正の内容】
【図１１】
2008199603.tif 000030
【手続補正６４】
【補正対象書類名】図面
【補正対象項目名】図１２
【補正方法】変更
【補正の内容】
【図１２】
2008199603.tif 000031
【手続補正６５】
【補正対象書類名】図面
【補正対象項目名】図１３
【補正方法】変更
【補正の内容】
【図１３】
2008199603.tif 000032
【手続補正６６】
【補正対象書類名】図面
【補正対象項目名】図１４
【補正方法】変更
【補正の内容】
【図１４】
2008199603.tif 000033
【手続補正６７】
【補正対象書類名】図面
【補正対象項目名】図１５
【補正方法】変更
【補正の内容】
【図１５】
2008199603.tif 000034
【手続補正６８】
【補正対象書類名】図面
【補正対象項目名】図１６
【補正方法】変更
【補正の内容】
【図１６】
2008199603.tif 000035
【手続補正６９】
【補正対象書類名】図面
【補正対象項目名】図１８
【補正方法】変更
【補正の内容】
【図１８】
2008199603.tif 000036